(57)【要約】【課題】良好な反射防止性能と防汚性とを有し、製造工程も簡便なシリカ系多孔質膜、これを備える物品およびその製造方法の提供。【解決手段】シリカを主成分とするマトリックス中に複数の空孔を有するシリカ系多孔質膜であって、屈折率が１．１０〜１．３８の範囲内であり、前記空孔として、直径２０ｎｍ以上の空孔を含み、最表面に開口した直径２０ｎｍ以上の空孔の数が１３個／１０６ｎｍ２以下であり、前記最表面の水接触角が７０°以上であることを特徴とする、シリカ系多孔質膜。【選択図】なし【特許請求の範囲】
【請求項１】
シリカを主成分とするマトリックス中に複数の空孔を有するシリカ系多孔質膜であって、
屈折率が１．１０〜１．３８の範囲内であり、
前記空孔として、直径２０ｎｍ以上の空孔を含み、
最表面に開口した直径２０ｎｍ以上の空孔の数が１３個／１０６ｎｍ２以下であり、
前記最表面の水接触角が７０°以上であることを特徴とする、シリカ系多孔質膜。
【請求項２】
前記最表面から、該最表面下に存在する直径２０ｎｍ以上の空孔の最上部までの距離の平均値が１０〜８０ｎｍである、請求項１に記載のシリカ系多孔質膜。
【請求項３】
前記空孔の平均直径が１５〜１００ｎｍである、請求項１または２に記載のシリカ系多孔質膜。
【請求項４】
当該シリカ系多孔質膜の内部に存在する直径２０ｎｍ以上の空孔が独立孔である、請求項１〜３のいずれか一項に記載のシリカ系多孔質膜。
【請求項５】
前記最表面の算術平均粗さ（Ｓａ）が３．０ｎｍ以下である、請求項１〜４のいずれか一項に記載のシリカ系多孔質膜。
【請求項６】
請求項１〜５のいずれか一項に記載のシリカ系多孔質膜を物品の表面に有するシリカ系多孔質膜付き物品。
【請求項７】
シリカを主成分とするマトリックス中に複数の空孔を有するシリカ系多孔質膜を物品の表面に有するシリカ系多孔質膜付き物品の製造方法であって、
マトリックス前駆体と、マトリックス中から除去可能な粒子と、液体媒体とを含有する塗布液を、物品の表面に塗布し、熱処理する工程を含み、
前記マトリックス前駆体が、下記化合物（Ａ）と、下記化合物（Ｂ１）と、下記化合物（Ｂ２）とを含有し、かつ下記条件（Ｉ）を満たし、
前記化合物（Ａ）の含有量が、前記塗布液に含まれる全固形分に対して５質量％以上であり、
前記粒子の平均一次粒子径が２０〜１３０ｎｍであることを特徴とする、シリカ系多孔質膜付き物品の製造方法。
化合物（Ａ）：下記一般式（１）で表されるシラン化合物（１）の加水分解物および部分縮合物、ならびに前記シラン化合物（１）と下記一般式（２）で表されるシラン化合物（２）との共加水分解物および部分縮合物からなる群から選ばれる少なくとも１種の化合物であり、且つ少なくとも、前記一般式（１）中のｎが２であるシラン化合物に由来する構造を有する化合物。
ＹｎＳｉＸ４−ｎ    …（１）
ＳｉＸ４          …（２）
［式中、Ｘは加水分解性基を示し、Ｙは、Ｙ−ＯＨの誘電率が５０Ｆ／ｍ以下である非加水分解性基を示し、ｎは１〜３の整数を示す。］
化合物（Ｂ１）：前記一般式（１）中のｎが１または３であるシラン化合物、その加水分解および部分縮合物からなる群から選ばれる少なくとも１種の化合物。
化合物（Ｂ２）：前記シラン化合物（２）、その加水分解物および部分縮合物からなる群から選ばれる少なくとも１種の化合物。
条件（Ｉ）：前記化合物（Ａ）を形成するシラン化合物（２）のモル数と前記化合物（Ｂ２）を形成するシラン化合物（２）のモル数との合計量に対する、前記化合物（Ａ）を形成するシラン化合物（１）のモル数と前記化合物（Ｂ１）を形成するシラン化合物（１）のモル数との合計量の比率［（１）／（２）］が、０．１〜２５．０の範囲内である。
【請求項８】
前記化合物（Ｂ１）が、前記Ｙとして、二重結合を含む構造の基を有する、請求項７に記載のシリカ系多孔質膜付き物品の製造方法。
【請求項９】
前記塗布液中、前記粒子の含有量に対する、前記マトリックス前駆体の含有量（ＳｉＯ２換算）の質量比［マトリックス前駆体／粒子］が、０．７〜６．０の範囲内である、請求項７または８に記載のシリカ系多孔質膜付き物品の製造方法。
【請求項１０】
前記粒子が、カーボンまたは有機ポリマーからなる、請求項７〜９のいずれか一項に記載のシリカ系多孔質膜付き物品の製造方法。
【請求項１１】
前記有機ポリマーが、メタクリル酸メチル、スチレン、アクリロニトリル、ブタジエンおよびイソプレンからなる群から選ばれる少なくとも１種のモノマーの単独重合体または共重合体からなる、請求項１０に記載のシリカ系多孔質膜付き物品の製造方法。
【発明の詳細な説明】
【技術分野】
【０００１】
本発明は、シリカ系多孔質膜、シリカ系多孔質膜付き物品およびその製造方法に関する。
【背景技術】
【０００２】
反射防止膜をガラス板等の透明基材の表面に有する物品は、太陽電池のカバー部材、各種ディスプレイおよびそれらの前面板、各種窓ガラス、タッチパネルのカバー部材等として用いられている。
ガラス板等に用いられる反射防止膜の一つとしてシリカ系多孔質膜がある。シリカ系多孔質膜は、シリカを主成分とするマトリックス中に空孔を有することから、空孔を有さない場合に比べて屈折率が低くなっている。
シリカ系多孔質膜の製造方法としては様々な方法が提案されている。その一つとして、アルコキシシラン等のシリカ前駆体と、空孔形成用粒子とを含むコーティング液を塗工、熱処理する方法がある（たとえば特許文献１）。該方法では、熱処理によるマトリックスの形成と同時に、またはマトリックスの形成後に空孔形成用粒子が除去され、空孔が形成される。該方法は、プロセスが簡便で、鋳型となる空孔形成用粒子の大きさや配合量によって空孔の大きさや空孔率を制御できる利点がある。
【０００３】
反射防止膜は、その機能上、物品の最表層に配置されている。そのため、反射防止膜には防汚性（汚れが付着しにくいこと、付着しても除去しやすいこと）が要求される。
しかし、前述のシリカ系多孔質膜は、最表面に開放孔や凹凸が多数存在しているため、汚れが付着しやすく、また付着した汚れが除去し難い問題がある。
たとえば太陽電池の製造工程では、カバー部材と太陽電池を封止材で接着する工程が行われる。反射防止膜としてシリカ系多孔質膜を用いると、該製造工程にて、封止材であるＥＶＡがシリカ系多孔質膜に浸み込み、反射防止性能が低下する問題がある。また、浸み込んだＥＶＡはシリカ系多孔質膜から剥がしにくく、剥がした後も、ＥＶＡが浸み込んだ部分のシリカ系多孔質膜の色味が他の部分とは異なった色味になる等の問題もある。
【０００４】
上記の製造工程等における問題への対策としては、シリカ系多孔質膜の上に保護フィルムを設けることが行われている。しかしこの方法は、コストが高く、手間もかかる。
防汚性を付与する方法として、フッ素系等の撥水性のコート剤を塗布する方法がある。この方法をシリカ系多孔質膜に適用すると、保護フィルムを設ける場合に比べ、低コストで簡便に、油脂汚れやＥＶＡに対する防汚性の向上を図ることができる。しかしこの場合、塗布したコート剤がシリカ系多孔質膜中に浸み込んで空孔を塞ぎ、反射防止性能を低下させる懸念がある。さらに、太陽電池用途等に使用する際には、安全性の観点から強化ガラスが用いられるが、ガラスを強化する手法として、ガラスを６００〜７００℃に加熱した後に表面に空気を吹き付けて急冷する熱強化法、およびナトリウムイオンを含有したガラスを、カリウムイオンを含有した３００〜５００℃の溶融塩に含浸させることで、ガラス表面でイオン交換を行う化学強化法により強化処理を行った場合、通常の撥水コート剤は熱分解してしまう。そのため、防汚性を付与するためには、ガラス強化工程後に、再度撥水コート剤を塗布する必要があるため、製造工程が煩雑になる。
【先行技術文献】
【特許文献】
【０００５】
【特許文献１】特表２０１０−５０９１７５号公報
【発明の概要】
【発明が解決しようとする課題】
【０００６】
本発明は、上記事情に鑑みなされたものであり、良好な反射防止性能と防汚性とを有し、製造工程も簡便なシリカ系多孔質膜、これを備える物品およびその製造方法を提供することを目的とする。
【課題を解決するための手段】
【０００７】
本発明は以下の態様を有する。
［１］シリカを主成分とするマトリックス中に複数の空孔を有するシリカ系多孔質膜であって、
屈折率が１．１０〜１．３８の範囲内であり、
前記空孔として、直径２０ｎｍ以上の空孔を含み、
最表面に開口した直径２０ｎｍ以上の空孔の数が１３個／１０６ｎｍ２以下であり、
前記最表面の水接触角が７０°以上であることを特徴とする、シリカ系多孔質膜。
［２］前記最表面から、該最表面下に存在する空孔の最上部までの距離の平均値が１０〜８０ｎｍである、［１］に記載のシリカ系多孔質膜。
［３］前記空孔の平均直径が１５〜１００ｎｍである、［１］または［２］に記載のシリカ系多孔質膜。
［４］当該シリカ系多孔質膜の内部に存在する直径２０ｎｍ以上の空孔が独立孔である、［１］〜［３］のいずれか一項に記載のシリカ系多孔質膜。
［５］前記最表面の算術平均粗さ（Ｓａ）が３．０ｎｍ以下である、［１］〜［４］のいずれか一項に記載のシリカ系多孔質膜。
［６］［１］〜［５］のいずれか一項に記載のシリカ系多孔質膜を物品の表面に有するシリカ系多孔質膜付き物品。
【０００８】
［７］シリカを主成分とするマトリックス中に複数の空孔を有するシリカ系多孔質膜を物品の表面に有するシリカ系多孔質膜付き物品の製造方法であって、
マトリックス前駆体と、マトリックス中から除去可能な粒子と、液体媒体とを含有する塗布液を、物品の表面に塗布し、熱処理する工程を含み、
前記マトリックス前駆体が、下記化合物（Ａ）と、下記化合物（Ｂ１）と、下記化合物（Ｂ２）とを含有し、かつ下記条件（Ｉ）を満たし、
前記化合物（Ａ）の含有量が、前記塗布液に含まれる全固形分に対して５質量％以上であり、
前記粒子の平均一次粒子径が２０〜１３０ｎｍであることを特徴とする、シリカ系多孔質膜付き物品の製造方法。
化合物（Ａ）：下記一般式（１）で表されるシラン化合物（１）の加水分解物および部分縮合物、ならびに前記シラン化合物（１）と下記一般式（２）で表されるシラン化合物（２）との共加水分解物および部分縮合物からなる群から選ばれる少なくとも１種の化合物であり、且つ少なくとも、前記一般式（１）中のｎが２であるシラン化合物に由来する構造を有する化合物。
ＹｎＳｉＸ４−ｎ    …（１）
ＳｉＸ４          …（２）
［式中、Ｘは加水分解性基を示し、Ｙは、Ｙ−ＯＨの誘電率が５０Ｆ／ｍ以下である非加水分解性基を示し、ｎは１〜３の整数を示す。］
化合物（Ｂ１）：前記一般式（１）中のｎが１または３であるシラン化合物、その加水分解および部分縮合物からなる群から選ばれる少なくとも１種の化合物。
化合物（Ｂ２）：前記シラン化合物（２）、その加水分解物および部分縮合物からなる群から選ばれる少なくとも１種の化合物。
条件（Ｉ）：前記化合物（Ａ）を形成するシラン化合物（２）のモル数と前記化合物（Ｂ２）を形成するシラン化合物（２）のモル数との合計量に対する、前記化合物（Ａ）を形成するシラン化合物（１）のモル数と前記化合物（Ｂ１）を形成するシラン化合物（１）のモル数との合計量の比率［（１）／（２）］が、０．１〜２５．０の範囲内である。
【０００９】
［８］前記化合物（Ｂ１）が、前記Ｙとして、二重結合を含む構造の基を有する、［７］に記載のシリカ系多孔質膜付き物品の製造方法。
［９］前記塗布液中、前記粒子の含有量に対する、前記マトリックス前駆体の含有量（ＳｉＯ２換算）の質量比［マトリックス前駆体／粒子］が、０．７〜６．０の範囲内である、［７］または［８］に記載のシリカ系多孔質膜付き物品の製造方法。
［１０］前記粒子が、カーボンまたは有機ポリマーからなる、［７］〜［９］のいずれか一項に記載のシリカ系多孔質膜付き物品の製造方法。
［１１］前記有機ポリマーが、メタクリル酸メチル、スチレン、アクリロニトリル、ブタジエンおよびイソプレンからなる群から選ばれる少なくとも１種のモノマーの単独重合体または共重合体からなる、［１０］に記載のシリカ系多孔質膜付き物品の製造方法。
【発明の効果】
【００１０】
本発明によれば、良好な反射防止性能と防汚性とを有し、製造工程も簡便なシリカ系多孔質膜、これを備える物品およびその製造方法を提供できる。
【図面の簡単な説明】
【００１１】
【図１】本発明におけるシリカ系多孔質膜付き物品の一実施形態を示す断面図である。
【図２】図１に示すシリカ系多孔質膜付き物品におけるシリカ系多孔質膜の構成を模式的に説明する概略断面図である。
【図３】本発明におけるシリカ系多孔質膜付き物品の一実施形態を示す断面図である。
【図４】例１で得たシリカ系多孔質膜付きガラス板のＳＥＭ写真（（ａ）表面、（ｂ）断面）である。
【図５】例２で得たシリカ系多孔質膜付きガラス板のＳＥＭ写真（（ａ）表面、（ｂ）断面）である。
【図６】例１０で得たシリカ系多孔質膜付きガラス板のＳＥＭ写真（（ａ）表面、（ｂ）断面）である。
【図７】例１３で得たシリカ系多孔質膜付きガラス板のＳＥＭ写真（（ａ）表面、（ｂ）断面）である。
【図８】例１４で得たシリカ系多孔質膜付きガラス板のＳＥＭ写真（（ａ）表面、（ｂ）断面）である。
【図９】例１５で得たシリカ系多孔質膜付きガラス板のＳＥＭ写真（（ａ）表面、（ｂ）断面）である。
【図１０】例１６で得たシリカ系多孔質膜付きガラス板のＳＥＭ写真（（ａ）表面、（ｂ）断面）である。
【発明を実施するための形態】
【００１２】
以下、実施形態例を示して本発明を説明する。
＜第一実施形態のシリカ系多孔質膜付き物品＞
図１は、本発明のシリカ系多孔質膜を物品の表面に有するシリカ系多孔質膜付き物品の第一実施形態を示す断面図である。
本実施形態のシリカ系多孔質膜付き物品１０は、ガラス板１２と、ガラス板１２の表面に形成されたシリカ系多孔質膜１４とを有する。
【００１３】
（ガラス板１２）
ガラスとしては、たとえば、ソーダライムガラス、ホウケイ酸ガラス、アルミノケイ酸塩ガラス、無アルカリガラス等が挙げられる。
ガラス板１２は、フロート法等により成形された平滑なガラス板であってもよく、表面に凹凸を有する型板ガラスであってもよい。また、平坦なガラスのみでなく曲面形状を有するガラスでもよい。
ガラス板１２の厚みは特に限定されない。たとえば厚さ０．２〜１０ｍｍのガラスを使用することが出来る。厚さが薄いほど、光の吸収を低く抑えられるため、透過率向上を目的とする用途にとって好ましい。
【００１４】
ガラス板１２が建築用または車両用の窓ガラスの場合、下記の組成を有するソーダライムガラスが好ましい。
酸化物基準の質量百分率表示で、
ＳｉＯ２  ：６５〜７５％、
Ａｌ２Ｏ３：０〜１０％、
ＣａＯ    ：５〜１５％、
ＭｇＯ    ：０〜１５％、
Ｎａ２Ｏ  ：１０〜２０％、
Ｋ２Ｏ    ：０〜３％、
Ｌｉ２Ｏ  ：０〜５％、
Ｆｅ２Ｏ３：０〜３％、
ＴｉＯ２  ：０〜５％、
ＣｅＯ２  ：０〜３％、
ＢａＯ    ：０〜５％、
ＳｒＯ    ：０〜５％、
Ｂ２Ｏ３  ：０〜１５％、
ＺｎＯ    ：０〜５％、
ＺｒＯ２  ：０〜５％、
ＳｎＯ２  ：０〜３％、
ＳＯ３    ：０〜０．５％、を含む。
【００１５】
ガラス板１２が無アルカリガラスの場合、下記の組成を有するものが好ましい。
酸化物基準の質量百分率表示で、
ＳｉＯ２  ：３９〜７０％、
Ａｌ２Ｏ３：３〜２５％、
Ｂ２Ｏ３  ：１〜３０％、
ＭｇＯ    ：０〜１０％、
ＣａＯ    ：０〜１７％、
ＳｒＯ    ：０〜２０％、
ＢａＯ    ：０〜３０％、を含む。
【００１６】
ガラス板１２が混合アルカリ系ガラスの場合、下記の組成を有するものが好ましい。
酸化物基準の質量百分率表示で、
ＳｉＯ２  ：５０〜７５％、
Ａｌ２Ｏ３：０〜１５％、
ＭｇＯ＋ＣａＯ＋ＳｒＯ＋ＢａＯ＋ＺｎＯ：６〜２４％、
Ｎａ２Ｏ＋Ｋ２Ｏ：６〜２４％、を含む。
【００１７】
ガラス板１２が太陽電池用カバーガラスの場合、表面に凹凸をつけた梨地模様の型板ガラスが好ましい。型板ガラスとしては、通常の窓ガラス等に用いられるソーダライムガラス（青板ガラス）よりも鉄の成分比が少ない（透明度が高い）ソーダライムガラス（白板ガラス）が好ましい。
【００１８】
（シリカ系多孔質膜１４）
図２に、シリカ系多孔質膜１４の構成を模式的に説明する概略断面図を示す。
シリカ系多孔質膜１４は、シリカを主成分とするマトリックス２１中に、複数の直径２０ｎｍ以上の空孔２２を有する。
シリカ系多孔質膜１４は、マトリックス２１がシリカを主成分とすることから、比較的屈折率（反射率）が低い。また化学的安定性、ガラス板１２との密着性、耐摩耗性等に優れる。さらにマトリックス２１中に空孔２２を有することで、空孔２２を有さない場合に比べて屈折率が低くなっている。
シリカ系多孔質膜１４は、マトリックス２１中に、図示しない直径２０ｎｍ未満の空孔を有していてもよい。
【００１９】
マトリックス２１がシリカを主成分とするとは、シリカの割合がマトリックス（１００質量％）のうち９０質量％以上であることを意味する。
マトリックス２１としては、実質的にシリカからなるものが好ましい。実質的にシリカからなるとは、不可避不純物（たとえば後述するシラン化合物（１）が有する非加水分解性基Ｙに由来する構造）を除いてシリカのみから構成されていることを意味する。
マトリックス２１はシリカ以外の成分を少量含んでもよい。該成分としては、Ｌｉ，Ｂ，Ｃ，Ｎ，Ｆ，Ｎａ，Ｍｇ，Ａｌ，Ｐ，Ｓ，Ｋ，Ｃａ，Ｔｉ，Ｖ，Ｃｒ，Ｍｎ，Ｆｅ，Ｃｏ，Ｎｉ，Ｃｕ，Ｚｎ，Ｇａ，Ｓｒ，Ｙ，Ｚｒ，Ｎｂ，Ｒｕ，Ｐｄ，Ａｇ，Ｉｎ，Ｓｎ，Ｈｆ，Ｔａ，Ｗ，Ｐｔ，Ａｕ，Ｂｉおよびランタノイド元素より選ばれる１つもしくは複数のイオンおよびまたは酸化物等の化合物が挙げられる。
マトリックス２１は、２次元的に重合されたマトリックス成分だけでなく、３次元的に重合されたナノ粒子を含んでも良い。ナノ粒子の組成としてＡｌ２Ｏ３，ＳｉＯ２，ＳｎＯ２，ＴｉＯ２，ＺｎＯ，ＺｒＯ２等が挙げられる。ナノ粒子のサイズは１〜１００ｎｍが好ましい。ナノ粒子の形状は特に限定されるものではなく、球状、針状、中空状、シート状、角状等が挙げられる。
【００２０】
シリカ系多孔質膜１４中には、直径２０ｎｍ以上の空孔２２が複数存在している。これにより、優れた反射防止性能が得られる。
空孔の直径は、走査型電子顕微鏡（以下、ＳＥＭともいう。）を用いてシリカ系多孔質膜１４の断面を観察して得られる像から測定される。該像における空孔の形状が真円状でない場合は、短径と長径の平均値を直径とする。
【００２１】
マトリックス２１中に含まれる空孔の平均直径（以下「平均空孔直径」ともいう。）は、１５〜１００ｎｍであることが好ましく、２０〜８０ｎｍがより好ましい。平均空孔直径が１５ｎｍ以上であれば、反射防止膜として充分な反射防止性能が得られ、１００ｎｍ以下であれば、シリカ系多孔質膜１４の耐久性、光透過性等が良好である。
平均空孔直径は、ＳＥＭを用いてシリカ系多孔質膜１４の断面を観察して得られる像により１００個の空孔の直径を計測し、それらの平均値を算出することで求められる。
【００２２】
シリカ系多孔質膜１４は、最表面（ガラス板１２側とは反対側の表面）１４ａ側に、最表面緻密層１４ｂを有する。最表面緻密層１４ｂは、直径２０ｎｍ以上の空孔２２を実質的に含まない領域である。
実質的に含まないとは、シリカ系多孔質膜１４の最表面１４ａに開口した空孔２２（開放孔）の数（以下「最表面開放孔数」ともいう。）が１３個／１０６ｎｍ２以下であることを示す。最表面開放孔数は、１０個／１０６ｎｍ２以下が好ましく、０個であることが特に好ましい。すなわち、最表面緻密層１４ｂは、直径が２０ｎｍ以上の空孔２２が存在しない領域であることが特に好ましい。
最表面開放孔数は、シリカ系多孔質膜１４の最表面１４ａをＳＥＭにて観察して得られる像から、１０００ｎｍ×１０００ｎｍの領域内に存在する、直径２０ｎｍ以上の大きさの開口の数を計測することで求められる。該像における開口の形状が真円状でない場合は、短径と長径の平均値を直径とする。
【００２３】
シリカ系多孔質膜１４の最表面開放孔数が１３個／１０６ｎｍ２以下であり、最表面に大径の空孔がほとんど存在しないことは、防汚性の向上に寄与する。大径の空孔をほとんど有さないことで、汚れがシリカ系多孔質膜１４内部の空孔に浸透しにくく、付着した汚れが除去しやすい。
最表面に大径の空孔がほとんど存在しないことは、耐久性の向上にも寄与する。
従来のシリカ系多孔質膜は、直径２０ｎｍ以上の空孔を含む場合、空孔が連通化し、膜表面にも多くの開放孔が形成されるため、耐久性が悪く、耐湿試験や摩耗試験を行ったときに多孔質構造が壊れて反射防止性能が低下しやすい。たとえば、従来のシリカ系多孔質膜をガラス板１２の表面に直接形成した場合、湿熱条件下でガラス板１２と接する部分の多孔質構造がアルカリの影響により壊れ、反射防止性能が低下する。
これに対し、本発明においては、最表面開放孔数が少ないため、マトリックス２１中に直径２０ｎｍ以上の空孔２２を含んでいるにもかかわらず、優れた耐久性を有する。たとえばシリカ系多孔質膜１４を、ガラス板１２の表面に直接形成して湿熱条件下においた場合でも、長期に渡って多孔質構造が維持され、反射防止性能が低下しにくい。また、耐摩耗性にも優れる。湿熱条件下での反射防止性能の低下を抑制する効果は、最表面緻密層１４ｂによって、外気中の水分がシリカ系多孔質膜１４を透過しガラス板１２に到達してアルカリが生成することを抑制できることによると考えられる。
このように、防汚性、耐久性（耐湿熱性、耐摩耗性等）が向上することで、シリカ系多孔質膜１４の反射防止膜としての有用性が向上する。
なお、直径２０ｎｍ未満の空孔が耐久性に与える影響は少ない。そのため、シリカ系多孔質膜１４は、最表面緻密層１４ｂやその他の領域のマトリックス２１中に、図示しない直径２０ｎｍ未満の空孔を有していてもよい。
【００２４】
シリカ系多孔質膜１４の最表面１４ａ、つまり最表面緻密層１４ｂの表面は、水接触角が７０°以上であり、７５°以上が好ましく、８０°以上が特に好ましい。
シリカ系多孔質膜１４の最表面１４ａに開口した空孔２２の数（最表面開放孔数）が１３個／１０６ｎｍ２以下であるとともに、最表面１４ａの水接触角が７０°以上であることで、油脂汚れ、ＥＶＡ等の疎水性汚れが最表面１４ａに付着しにくく、付着しても除去しやすく、優れた防汚性が発揮される。たとえば太陽電池用透明基板、特にカバーガラス用途において、太陽電池モジュールの製造工程で溶融した封止材（ＥＶＡ等）が最表面１４ａに付着しても、該封止材を容易に剥離でき、また、浸み込んだ封止材による変色が生じにくい。
最表面１４ａの水接触角の上限は、防汚性の点では特に限定されないが、化合物（Ａ）が有するＹ基の表面エネルギーの点から、通常、１２０°以下である。
水接触角の測定方法は後述する実施例に示すとおりである。
最表面１４ａの水接触角は、最表面緻密層１４ｂを構成する材質（たとえば後述する製造方法で挙げる化合物（Ａ））によって調整できる。
【００２５】
本発明において、シリカ系多孔質膜１４の内部に存在する直径２０ｎｍ以上の空孔２２は、連結孔ではなく、独立孔であることが好ましい。
独立孔であるとは、マトリックス中に独立して存在している粒状の空孔を示す。シリカ系多孔質膜１４の内部に存在する空孔２２が独立孔であることにより、水蒸気等がガラスと膜の界面に浸透しにくく、耐湿熱性に優れるため好ましい。
たとえば後述する製造方法に示すように、マトリックス前駆体と、マトリックス中から除去可能な粒子（Ｃ）と、液体媒体（Ｄ）とを含有する塗布液を、物品の表面に塗布し、熱処理する工程を経てシリカ系多孔質膜１４を形成する場合に、粒子（Ｃ）として有機ポリマーナノ粒子を用い、これを熱分解して得られるシリカ系多孔質膜の内部に存在する空孔２２は独立孔であり、複数の空孔２２が１個ずつ分かれて存在する。
一方、従来、シリカ系多孔質膜の製造方法として一般的な、無機ナノ粒子を積層する方法により得られるシリカ系多孔質膜は、粒子同士の間にある空隙が連結孔を形成する。膜内部が連結孔からなる場合は、最表面に緻密層が形成されても水蒸気等がガラスと膜の界面に浸透しやすいため、耐湿熱性が不足しやすい。
【００２６】
最表面緻密層１４ｂの平均膜厚（以下「最表面緻密層平均膜厚」ともいう。）ｄは、１０〜８０ｎｍであることが好ましく、１３〜６０ｎｍであることがより好ましい。最表面緻密層平均膜厚ｄが１０ｎｍ以上であれば、外気中の水分がガラスに到達することを抑制する効果が良好である。最表面緻密層平均膜厚ｄが８０ｎｍ以下であれば、膜全体の屈折率を低く抑えることができるため反射防止性能が良好である。
最表面緻密層平均膜厚は、シリカ系多孔質膜１４の最表面１４ａから、該最表面１４ａ下に存在する直径２０ｎｍ以上の空孔２２の最上部までの距離の平均値を示す。
最表面緻密層平均膜厚の測定方法は後述の実施例に示すとおりである。
【００２７】
シリカ系多孔質膜１４の平均総膜厚（ｎｍ）に対する最表面緻密層平均膜厚ｄ（ｎｍ）の割合は、所望の最表面緻密層平均膜厚ｄ、平均総膜厚等を考慮して適宜設定でき特に限定されないが、８〜４０％が好ましく、１０〜３０％がより好ましい。
【００２８】
シリカ系多孔質膜１４の平均総膜厚は、４０〜３００ｎｍが好ましく、８０〜２００ｎｍがより好ましい。シリカ系多孔質膜１４の平均総膜厚が４０ｎｍ以上であれば、可視光領域において光の干渉が起こり、反射防止性能が発現する。シリカ系多孔質膜１４の平均総膜厚が３００ｎｍ以下であれば、クラックが発生せずに成膜できる。
平均総膜厚の測定方法は後述の実施例に示すとおりである。
【００２９】
シリカ系多孔質膜１４の屈折率は、１．１０〜１．３８の範囲内であり、１．１５〜１．３５の範囲内が好ましい。シリカ系多孔質膜１４の屈折率が１．３８以下であれば、シリカ系多孔質膜１４中に充分な空孔２２が存在し、シリカ系多孔質膜１４の反射率が充分に低くなり、優れた反射防止性能を発揮する。シリカ系多孔質膜１４の屈折率が１．１０以上であれば、シリカ系多孔質膜１４の空隙率が高くなりすぎず、耐久性が向上する。
シリカ系多孔質膜１４の屈折率は、シリカ系多孔質膜１４全体での平均値であり、エリプソメーターによって測定される。具体的な測定方法は後述の実施例に示すとおりである。なお、シリカ系多孔質膜１４中、最表面緻密層とその他の領域とでは、屈折率が異なる。
【００３０】
シリカ系多孔質膜１４の最表面１４ａの算術平均粗さ（Ｓａ）は、３．０ｎｍ以下であることが好ましく、２．５ｎｍ以下がより好ましい。
最表面１４ａが、算術平均粗さ（Ｓａ）が３．０ｎｍ以下となる平滑性を有していれば、耐久性、たとえば耐摩耗性等が向上する。また、汚れが付着しにくく、付着した汚れが除去しやすいなど、防汚性が向上し、反射防止膜としての有用性が向上する。表面に多くの開放孔を有する膜や、コア−シェル型粒子または中空粒子を用いて得られる膜は、算術平均粗さ（Ｓａ）が大きいために好ましくない。
算術平均粗さ（Ｓａ）の測定方法は後述の実施例に示すとおりである。
【００３１】
シリカ系多孔質膜１４の表面に入射角５°で入射する波長４００〜１１００ｎｍの光の平均反射率（以下「平均反射率（５°入射）」ともいう。）は、２．０％以下であることが好ましく、１．７％以下がより好ましい。シリカ系多孔質膜１４の平均反射率（５°入射）が２．０％以下であれば、太陽電池のカバーガラス等に要求される反射防止性能を充分に満足する。
本明細書における入射角は、光の入射方向とシリカ系多孔質膜の表面の法線とのなす角度である。
平均反射率（５°入射）の測定方法は後述の実施例に示すとおりである。
【００３２】
シリカ系多孔質膜付き物品１０のシリカ系多孔質膜１４側の表面に入射角０°で入射する波長４００〜１１００ｎｍの光の平均透過率（以下「平均透過率（０°入射）」ともいう。）は、９４．０％以上であることが好ましく、９４．５％以上がより好ましい。シリカ系多孔質膜付き物品１０の平均透過率（０°入射）が９４．０％以上であれば、太陽電池のカバーガラス等に要求される光透過性を充分に満足する。
シリカ系多孔質膜付き物品１０におけるガラス板１２の代わりに他の透光性基板を用いたシリカ系多孔質膜付き物品の平均透過率も、上記と同様、９４．０％以上であることが好ましい。
平均透過率（０°入射）の測定方法は後述の実施例に示すとおりである。
【００３３】
＜第一実施形態のシリカ系多孔質膜付き物品の製造方法＞
シリカ系多孔質膜付き物品１０は、ガラス板１２上にシリカ系多孔質膜１４を形成することにより製造できる。
シリカ系多孔質膜１４の形成においては、まず、以下に示すマトリックス前駆体と、マトリックス中から除去可能な粒子（以下、粒子（Ｃ）ともいう。）と、液体媒体（以下、液体媒体（Ｄ）ともいう。）とを含有する塗布液を、ガラス板１２の表面に塗布し、熱処理する。
該塗布液の塗膜を熱処理することで、マトリックス前駆体からマトリックス２１が形成される。
粒子（Ｃ）が熱処理により除去可能であれば、該熱処理により粒子（Ｃ）が除去され、シリカ系多孔質膜１４が形成される。具体的には、粒子（Ｃ）が、熱分解性材料（たとえば熱分解性の有機ポリマー等）で構成される場合、マトリックス２１を形成する際の熱処理温度を、熱分解性材料の熱分解温度以上の温度とすることにより、粒子（Ｃ）が気化し、マトリックス２１中の微細な空孔を通過してマトリックス２１外に放出され、シリカ系多孔質膜１４が形成される。マトリックス２１を形成するための熱処理を、該熱分解温度よりも低い温度で行い、成膜後、再度、熱分解温度以上の温度での熱処理を行ってもよい。
熱処理により粒子（Ｃ）を除去しない場合は、熱処理によりマトリックス２１を形成する前、または形成した後に、粒子（Ｃ）を構成する材料に応じた除去処理を行うことで、シリカ系多孔質膜１４を形成できる。
【００３４】
［マトリックス前駆体］
マトリックス前駆体は、下記の化合物（Ａ）と、化合物（Ｂ１）と、化合物（Ｂ２）とを含有する。化合物（Ａ）、（Ｂ１）、（Ｂ２）は、下記のシラン化合物（１）および（２）のいずれか一方または両方に由来するものである。
【００３５】
シラン化合物（１）は、下記一般式（１）で表される化合物である。
ＹｎＳｉＸ４−ｎ    …（１）
［式中、Ｘは加水分解性基を示し、Ｙは、Ｙ−ＯＨの誘電率が５０Ｆ／ｍ以下である非加水分解性基を示し、ｎは１〜３の整数を示す。］
【００３６】
式（１）中、Ｘは加水分解性基を示す。加水分解性基とは、加水分解によりＳｉ−Ｘ基をＳｉ−ＯＨ基に変換し得る基である。
Ｘとしては、ハロゲン原子（たとえば塩素原子）、アルコキシ基、アシルオキシ基、アミノキシ基、アミド基、ケトキシメート基、水酸基、エポキシ基、グリシジル基、イソシアネート基等が挙げられ、大気中での取り扱いが容易で加水分解重縮合反応が制御しやすい点から、アルコキシ基が特に好ましい。アルコキシ基としては、炭素数１〜４のアルコキシ基が好ましく、メトキシ基またはエトキシ基がより好ましい。
【００３７】
Ｙは、Ｙ−ＯＨの誘電率が５０Ｆ／ｍ以下である非加水分解性基を示す。
非加水分解性基とは、加水分解によりＳｉ−Ｘ基がＳｉ−ＯＨ基となる条件下で、構造が変化しない官能基である。
Ｙ−ＯＨの誘電率は、文献値を用いても良いが、以下の測定方法によって測定することができる。
Ｙ−ＯＨの誘電率は、ＪＩＳ−Ｒ１６２７の規定に則り、ネットワークアナライザ（アジレント・テクノロジー社製、ＰＮＡマイクロ波ベクトル・ネットワーク・アナライザ）を用いて、ブリッジ回路によって試料に電場を印加し、反射係数と位相を測定した値から算出した。
【００３８】
Ｙとしては、たとえば、フッ素原子で置換されていてもよい炭化水素基が挙げられる。炭化水素基としては、芳香族炭化水素基でも脂肪族炭化水素基でもよい。脂肪族炭化水素基としては、飽和炭化水素基でも、二重結合等の不飽和結合を含む不飽和炭化水素基でもよい。
Ｙの具体例としては、ペルフルオロポリエーテル基、ペルフルオロアルキル基、アルキル基、アリール基（フェニル基等）、二重結合を含む構造の基（以下、基（Ｙ１）ともいう。）等が挙げられる。基（Ｙ１）としては、例えばビニル基、アクリロイル基、アクリロイルオキシアルキル基、メタクリロイル基、メタクリロイルオキシアルキル基、スチリル基等が挙げられる。
【００３９】
ｎが１または２である場合、シラン化合物（１）が有する複数のＸは、同じでも異なってもよい。入手しやすさ、加水分解反応の制御のしやすさ等の点では、同じ基であることが好ましい。
ｎが２または３である場合、シラン化合物（１）が有する複数のＹは、同じでも異なってもよい。入手しやすさ、加水分解反応の制御のしやすさ等の点では、同じ基であることが好ましい。
【００４０】
シラン化合物（１）の具体例としては、たとえば、モノアルキルトリアルコキシシラン（メチルトリメトキシシラン、メチルトリエトキシシラン、エチルトリメトキシシラン、エチルトリエトキシシラン、プロピルトリメトキシシラン、プロピルトリエトキシシラン等）、ジアルキルジアルコキシシラン（ジメチルジメトキシシラン、ジメチルジエトキシシラン、ジエチルジメトキシシラン、ジエチルジエトキシシラン、ジプロピルジメトキシシラン、ジプロピルジエトキシシラン等）、トリアルキルモノアルコキシシラン（トリメチルメトキシシラン、トリメチルエトキシシラン、トリエチルメトキシシラン、トリエチルエトキシシラン、トリプロピルメトキシシラン、トリプロピルエトキシシラン等）、モノアリールトリアルコキシシラン（フェニルトリメトキシシラン、フェニルトリエトキシシラン等）、ジアリールジアルコキシシラン（ジフェニルジメトキシシラン、ジフェニルジエトキシシラン等）、トリアリールモノアルコキシシラン（トリフェニルメトキシシラン、トリフェニルエトキシシラン等）、ペルフルオロポリエーテル基を有するアルコキシシラン（ペルフルオロポリエーテルトリエトキシシラン等）、ペルフルオロアルキル基を有するアルコキシシラン（ペルフルオロエチルトリエトキシシラン等）等が挙げられる。これらはいずれか１種を単独で用いても２種以上を併用してもよい。
【００４１】
シラン化合物（２）は、下記一般式（２）で表される化合物である。
ＳｉＸ４          …（２）
［式中、Ｘは加水分解性基を示す。］
【００４２】
式（２）中、Ｘとしては、前記式（１）中のＸと同様のものが挙げられる。
シラン化合物（２）が有する４つのＸは、同じでも異なってもよい。入手しやすさ、加水分解反応の制御のしやすさ等の点では、同じ基であることが好ましい。
シラン化合物（２）の具体例としては、たとえば、テトラアルコキシシラン（テトラメトキシシラン、テトラエトキシシラン、テトラプロポキシシラン、テトラブトキシシラン等）等が挙げられる。
【００４３】
｛化合物（Ａ）｝
化合物（Ａ）は、前記シラン化合物（１）の加水分解物および部分縮合物、ならびに前記シラン化合物（１）と前記シラン化合物（２）との共加水分解物および部分縮合物からなる群から選ばれる少なくとも１種の化合物であり、且つ少なくとも、前記シラン化合物（１−２）に由来する構造を有する化合物である。
つまり、化合物（Ａ）を形成するシラン化合物（１）は、少なくとも、シラン化合物（１−２）を含む。
シラン化合物（１−２）としては、上記のなかでも、多くのＹと縮合に十分な量のＸを兼ね備える点から、ジアルキルジアルコキシシラン、ジアリールジアルコキシシランが好ましく、ジアルキルジアルコキシシランがより好ましい。
化合物（Ａ）を形成するシラン化合物（１）は、シラン化合物（１−２）のみでもよく、シラン化合物（１−２）と、前記一般式（１）中のｎが１または３であるシラン化合物との混合物であってもよい。
化合物（Ａ）を形成するシラン化合物（１）の合計量のうち、シラン化合物（１−２）の割合は、２０モル％以上が好ましく、４０モル％以上であることがより好ましい。上限は特に限定されず、１００％であってもよい。
【００４４】
シラン化合物（１）の加水分解物および部分縮合物、シラン化合物（１）とシラン化合物（２）との共加水分解物および部分縮合物はそれぞれ常法により得ることができる。
たとえば、シラン化合物（１）に対し、またはシラン化合物（１）およびシラン化合物（２）に対し、水を添加、混合することで、加水分解物や部分縮合物を得ることができる。シラン化合物（１）、（２）は反応性が高く、水を添加するだけでも加水分解反応や部分縮合反応が進行し得る。
このとき、水とともに触媒を添加することが好ましい。触媒としては、酸またはアルカリを用いることができる。酸としては、無機酸（硝酸、硫酸、塩酸等）、有機酸（ギ酸、シュウ酸、モノクロル酢酸、ジクロル酢酸、トリクロル酢酸等）が挙げられる。アルカリとしては、アンモニア、水酸化ナトリウム、水酸化カリウム等が挙げられる。触媒としては、生成する加水分解物や部分縮合物の長期保存性の点から、酸が好ましい。
得られた反応液は、通常、そのまま、または適宜希釈して、前記塗布液の調製に用いられる。そのため、加水分解に用いる触媒としては、粒子（Ｃ）の分散を妨げないものが好ましい。
加水分解、部分重縮合反応を行う際の温度は、５〜８０℃が好ましく、１０〜７０℃がより好ましい。５℃以上であれば、加水分解重縮合反応が充分に進行し、８０℃以下であれば、加水分解重縮合反応制御が容易である。
なお、Ｙの数が少ないほど、加水分解および縮合反応が進行しやすく、シラン化合物（２）の方が、シラン化合物（１）よりも縮合しやすい。そのため、シラン化合物（１）とシラン化合物（２）とを共加水分解した場合、反応液中には、シラン化合物（１）とシラン化合物（２）との共加水分解物や部分縮合物だけでなく、シラン化合物（２）の加水分解物や部分縮合物、すなわち化合物（Ｂ２）も生成する。この反応液は、そのまま塗布液の調製に用い得る。
【００４５】
化合物（Ａ）中には、Ｘが未反応のまま残存していてもよい。化合物（Ａ）中に残存するＸの含有量は、化合物（Ａ）が低誘電率を保持し、塗布膜中で最表層を形成しやすい点から、一般式（１）で表される未縮合体が含有するＸの総モル量に対し、２９モル％未満であることが好ましく、１５モル％未満であることがより好ましい。
化合物（Ａ）中のＸの含有量は、化合物（Ａ）のｎの値、加水分解反応、縮合反応時における反応温度、反応時間、水添加量、触媒添加量等の条件により調整できる。
【００４６】
化合物（Ａ）の平均分子量は、２００〜２０００の範囲が好ましく、３００〜１５００の範囲がより好ましい。平均分子量が２００以上であれば、未反応成分の揮発が抑えられ、２０００以下であれば、充分な透明性が確保できる。
平均分子量は、水の添加量、反応温度、および前駆体（シラン化合物（１）、またはシラン化合物（１）および（２））の含有量等によって制御可能である。
平均分子量は、ゲルパーミエーションクロマトグラフィー（ＧＰＣ）により測定されるポリスチレン換算の重量平均分子量である。
【００４７】
｛化合物（Ｂ１）｝
化合物（Ｂ１）は、前記一般式（１）中のｎが１または３であるシラン化合物、その加水分解物および部分縮合物から選ばれる少なくとも１種の化合物である。
化合物（Ｂ１）を形成するシラン化合物（１）に、前記シラン化合物（１−２）は含まれない。
化合物（Ｂ１）を形成するシラン化合物（１）は、ｎが１であるシラン化合物（以下、シラン化合物（１−１）ともいう。）のみでもよく、ｎが３であるシラン化合物（以下、シラン化合物（１−３）ともいう。）のみでもよく、シラン化合物（１−１）とシラン化合物（１−３）との混合物であってもよい。
化合物（Ｂ１）を形成するシラン化合物（１）としては、シラン化合物（１−１）が好ましい。
シラン化合物（１−１）としては、上記のなかでも、入手が容易で熱分解時に不活性ガスを発生しない点から、モノアルキルトリアルコキシシラン、モノアリールトリアルコキシシランが好ましく、モノアルキルトリアルコキシシランがより好ましい。
シラン化合物（１）の加水分解物および部分縮合物は、前記と同様、常法により得ることができる。
【００４８】
化合物（Ｂ１）としては、特に、耐久性の向上効果に優れることから、Ｙとして、基（Ｙ１）（二重結合を含む構造の基）を有するものが好ましい。基（Ｙ１）は、二重結合開裂縮合反応によりＳｉ原子間に炭素鎖を形成し、可撓性が増すことによって、耐久性の向上に寄与すると考えられる。基（Ｙ１）としては、前記と同様のものが挙げられる。
化合物（Ｂ１）は、Ｙとして、基（Ｙ１）以外の基を有してもよい。
【００４９】
化合物（Ｂ１）の平均分子量は、２００〜２０００の範囲が好ましく、３００〜１５００の範囲がより好ましい。平均分子量が２００以上であれば、未反応成分の揮発が抑えられ、２０００以下であれば、充分な透明性が確保できる。
平均分子量は、水の添加量、反応温度、および前駆体（シラン化合物（１−１）、（１−３））の含有量等によって制御可能である。
【００５０】
｛化合物（Ｂ２）｝
化合物（Ｂ２）は、前記シラン化合物（２）、その加水分解物および部分縮合物から選ばれる少なくとも１種の化合物である。
シラン化合物（２）の加水分解物および部分縮合物は、前記と同様、常法により得ることができる。
シラン化合物（１）とシラン化合物（２）とを予め混合して共加水分解重縮合反応を行ってもよい。この場合、得られる反応液中には、シラン化合物（１）の加水分解物や部分縮合物と、シラン化合物（２）の加水分解物や部分縮合物とが含まれる。この反応液は、そのまま塗布液の調製に用い得る。
化合物（Ｂ２）としては、シラン化合物（２）として、アルコキシ基の炭素数が１または２であるテトラアルコキシシランを用いたものが好ましい。
【００５１】
化合物（Ｂ２）の平均分子量は、２００〜２０００の範囲が好ましく、３００〜１５００の範囲がより好ましい。平均分子量が２００以上であれば、未反応成分の揮発が抑えられ、２０００以下であれば、充分な透明性が確保できる。
平均分子量は、水の添加量、反応温度、および前駆体（シラン化合物（２））の含有量等によって制御可能である。
【００５２】
｛化合物（Ａ）、（Ｂ１）、（Ｂ２）の含有量｝
塗布液中、化合物（Ａ）の含有量は、塗布液に含まれる全固形分に対して５質量％以上であり、５〜７０質量％が好ましく、１０〜５１質量％がより好ましい。
該含有量は、ＳｉＯ２換算固形分（塗布液中に含まれる化合物（Ａ）のすべてのＳｉがＳｉＯ２に転化したときの固形分）である。
塗布液中の化合物（Ａ）の含有量を５質量％以上とすることで、最表面緻密層１４ｂが充分な厚みで形成され、シリカ系多孔質膜１２の最表面開放孔数を１３個／１０６ｎｍ２以下にすることができる。また、最表面１４ａの平滑性が高く、算術平均粗さＳａを３．０ｎｍ以下とすることができる。また、シリカ系多孔質膜１４の最表面の疎水性が充分に高く（たとえば水接触角が７０°以上）なる。
最表面開放孔数が少なく、最表面の平滑性および疎水性が高いことで、汚れが付着しにくくなる、付着した汚れが除去しやすくなる等、防汚性が向上する。また、最表面開放孔数が少ないことで、優れた耐湿性が得られる。また、最表面の平滑性が高いことで、耐摩耗性も向上する。
【００５３】
マトリックス前駆体における化合物（Ａ）、（Ｂ１）、（Ｂ２）の含有量は、下記の条件（Ｉ）を満たす。
条件（Ｉ）：前記化合物（Ａ）を形成するシラン化合物（２）のモル数と前記化合物（Ｂ２）を形成するシラン化合物（２）のモル数との合計量［シラン化合物（２）の総モル数］に対する、前記化合物（Ａ）を形成するシラン化合物（１）のモル数と前記化合物（Ｂ１）を形成するシラン化合物（１）のモル数との合計量［シラン化合物（１）の総モル数］の比率［（１）／（２）］が、０．１〜２５．０の範囲内である。（１）／（２）は、０．１〜１０．０が好ましく、０．５〜５．０がより好ましい。
（１）／（２）の値を２５．０以下とすることで、さらには化合物（Ａ）の含有量を７０質量％以下とすることで、充分な反射防止性能、耐久性が得られる。（１）／（２）の値が２５．０を超える場合、シラン化合物（２）の量が少なすぎるために、空孔２２の存在する下層域の厚みが薄くなり、反射防止性能が、またマトリクス前駆体の縮合度が低くなり耐久性が不十分となるおそれがある。
【００５４】
塗布液は、本発明の効果を損なわない範囲で、化合物（Ａ）、（Ｂ１）、（Ｂ２）以外のマトリックス前駆体を含有してもよい。化合物（Ａ）、（Ｂ１）、（Ｂ２）以外のマトリックス前駆体としては、たとえば化合物（Ｂ１）に該当しないモノアルキルトリアルコキシシラン（メチルトリメトキシシラン、メチルトリエトキシシラン、エチルトリメトキシシラン、エチルトリエトキシシラン、プロピルトリメトキシシラン、プロピルトリエトキシシラン等）、トリアルキルモノアルコキシシラン（トリメチルメトキシシラン、トリメチルエトキシシラン、トリエチルメトキシシラン、トリエチルエトキシシラン、トリプロピルメトキシシラン、トリプロピルエトキシシラン等）、モノアリールトリアルコキシシラン（フェニルトリメトキシシラン、フェニルトリエトキシシラン等）、ジアリールジアルコキシシラン（ジフェニルジメトキシシラン、ジフェニルジエトキシシラン等）、トリアリールモノアルコキシシラン（トリフェニルメトキシシラン、トリフェニルエトキシシラン等）、ペルフルオロポリエーテル基を有するアルコキシシラン（ペルフルオロポリエーテルトリエトキシシラン等）、ペルフルオロアルキル基を有するアルコキシシラン（ペルフルオロエチルトリエトキシシラン等）、に加えシリコーンオイル、シリコーンオリゴマー、シリコーンレジン、水ガラス等が挙げられる。
【００５５】
塗布液中のマトリックス前駆体の含有量は、塗布液が塗布可能な範囲内であれば特に限定されないが、塗布液の全量（１００質量％）に対し、ＳｉＯ２換算固形分濃度として、０．２〜２０質量％が好ましく、０．５〜１５質量％がより好ましい。０．２質量％以上であると、加水分解重縮合反応が充分に進み、２０質量％以下であると、加水分解重縮合反応制御が容易であり長期保存性が良好である。
なお、ＳｉＯ２換算固形分は、塗布液中に含まれるマトリックス前駆体のすべてのＳｉがＳｉＯ２に転化したときの固形分である。
【００５６】
［粒子（Ｃ）］
粒子（Ｃ）は、マトリックス中から除去可能な粒子であり、たとえば熱処理により除去可能な粒子、プラズマ処理により除去可能な粒子、溶剤浸漬により除去可能な粒子、酸またはアルカリ浸漬により除去可能な粒子、光照射により除去可能な粒子等が挙げられる。
最表面緻密層１４ｂを形成するには熱処理が必要なため、粒子（Ｃ）は熱処理により除去可能な粒子であることが好ましいが、熱処理前または後に、プラズマ処理、溶剤浸漬、酸もしくはアルカリ浸漬、または光照射により除去した後に熱処理をして最表面緻密層１４ｂを形成しても良い。
【００５７】
熱処理により除去可能な粒子としては、熱分解性材料または熱昇華性材料からなる粒子が挙げられる。
熱分解性材料の熱分解温度は、１００〜８００℃が好ましく、２００〜７００℃がより好ましい。
熱分解性材料としては、たとえばカーボン、有機ポリマー、界面活性剤ミセル等が挙げられる。これらの中でも、経時安定性の点から、カーボンまたは有機ポリマーが好ましい。
なお、空気中でのカーボンの熱分解温度は５００℃程度である。空気中での有機ポリマーの熱分解温度は、有機ポリマーの種類や分子量によっても異なるが、一般的には２００〜６００℃程度である。有機ポリマーの熱分解温度は、示差熱−熱重量同時測定（ＴＧ−ＤＴＡ）により測定できる。
熱処理により除去可能な粒子は、熱処理により除去されないＳｉＯ２等の無機酸化物によって被覆されたコア−シェル粒子でもよい。シェルの厚みが厚いと膜表面に粒子由来の凹凸が形成されやすく、耐摩耗性の不足や汚れが付着しやすくなるために、シェルの厚みは５ｎｍ以下が好ましい。反射防止性能の観点からは、加熱により除去できない成分が含まれないことがより好ましい。
【００５８】
前記有機ポリマーとしては、所望の粒子径のナノ粒子を合成が得られれば特に限定されるものではないが、（メタ）アクリル系モノマー、スチレン系モノマー、ジエン系モノマー、イミド系モノマー、アミド系モノマーからなる群（以下「特定モノマー群」ともいう。）から選ばれるモノマーの単独重合体または共重合体が好ましい。
アクリル系モノマーとしては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ペンチル、（メタ）アクリル酸ヘキシル、（メタ）アクリル酸２−エチルヘキシル、（メタ）アクリル酸オクチル、（メタ）アクリル酸ラウリル、（メタ）アクリル酸ノニル、（メタ）アクリル酸デシル、（メタ）アクリル酸ドデシル、（メタ）アクリル酸フェニル、（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピル、ジエチルアミノエチル（メタ）アクリレート、ジアルキルアミノアルキル（メタ）アクリレート、（メタ）アクリルアミド、Ｎ−メチロール（メタ）アクリルアミド、ジアセトンアクリルアミド、グリシジル（メタ）アクリレート、エチレングリコールのジアクリル酸エステル、ジエチルグリコールのジアクリル酸エステル、トリエチレングリコールのジアクリル酸エステル、ポリエチレングリコールのジアクリル酸エステル、ジプロピレングリコールのジアクリル酸エステル、トリプロピレングリコールのジアクリル酸エステル、エチレングリコールのジメタクリル酸エステル、ジエチレングリコールのジメタクリル酸エステル、トリエチレングリコールのジメタクリル酸エステル、ポリエチレングリコールのジアクリル酸エステル、プロピレングリコールのジメタクリル酸エステル、ジプロピレングリコールのジメタクリル酸エステル、トリプロピレングリコールのジメタクリル酸エステル等が挙げられる。
スチレン系モノマーとしては、アルキルスチレンとしては；スチレン、メチルスチレン、ジメチルスチレン、トリメチルスチレン、エチルスチレン、ジエチルスチレン、トリエチルスチレン、プロピルスチレン、ブチルスチレン、ヘキシルスチレン、ヘプチルスチレン、オクチルスチレン、フロロスチレン、クロルスチレン、ブロモスチレン、ジブロモスチレン、クロルメチルスチレン、ニトロスチレン、アセチルスチレン、メトキシスチレン、α−メチルスチレン、ビニルトルエン、ｐ−スチレンスルホン酸ナトリウム等が挙げられる。
ジエン系モノマーとしては、ブタジエン、イソプレイン、シクロペンタジエン、１，３−ペンタジエン、ジシクロペンタジエン等が挙げられる。
イミド系モノマーとしては、マレイミド、Ｎ−メチルマレイミド、Ｎ−フェニルマレイミド、Ｎ−シクロヘキシルマレイミド、６−アミノヘキシルコハク酸イミド、２−アミノエチルコハク酸イミド等が挙げられる。
アミド系モノマーとしては、アクリルアミド、Ｎ−メチルアクリルアミドなどのアクリルアミド系誘導体、Ｎ、Ｎ−ジメチルアクリルアミド、Ｎ、Ｎ−ジメチルアミノプロピルアクリルアミド等のアリルアミン系誘導体、アクリルアミド、Ｎ−メチルアクリルアミド等のアクリルアミド系誘導体、Ｎ−アミノスチレン等のアミノスチレン類等が挙げられる。
【００５９】
前記有機ポリマーが、前記特定モノマー群から選ばれるモノマーの共重合体である場合、該共重合体は、前記特定モノマー群から選ばれる２種以上のモノマーを共重合させたものであってもよく、前記特定モノマー群から選ばれる少なくとも１種と、特定モノマー群から選ばれるモノマー以外の他のモノマーの少なくとも１種とを共重合させたものであってもよい。
該他のモノマーとしては、ジビニルベンゼン、酢酸ビニル、ビニルピリジン、アクリル酸、メタアクリル酸、テトラヒドロフタル酸、マレイン酸、イタコン酸、フマール酸、シトラコン酸、クロトン酸、イソクロトン酸、ノルボルネンジカルボン酸、メチレンマロン酸、イタコン酸モノエチル、イタコン酸モノブチル、マレイン酸モノメチル、マレイン酸モノエチル、マレイン酸モノブチル、マレイン酸モノプロピル、マレイン酸モノオクチル、カルボキシアルキルビニルエーテル、カルボキシアルキルビニルエステル、ビシクロ［２，２，１］ヘプト−２−エン−５，６−ジカルボン酸、無水マレイン酸、無水イタコン酸、無水シトラコン酸、テトラヒドロ無水フタル酸、ビシクロ［２，２，１］ヘプト−２−エン−５，６−ジカルボン酸無水物、（メタ）アクリル酸アミノエチル、（メタ）アクリル酸プロピルアミノエチル、メタクリル酸ジメチルアミノエチル、（メタ）アクリル酸アミノプロピル、メタクリル酸フェニルアミノエチル、メタクリル酸シクロヘキシルアミノエチルなどのアクリル酸またはメタクリル酸のアルキルエステル系誘導体、Ｎ−ビニルジエチルアミン、Ｎ−アセチルビニルアミンなどのビニルアミン系誘導体、アリルアミン、メタクリルアミン、Ｎ−メチルアクリルアミン、Ｎ、Ｎ−ジメチルアクリルアミド、Ｎ、Ｎ−ジメチルアミノプロピルアクリルアミドなどのアリルアミン系誘導体、（メタ）アクリル酸フェニル、（メタ）アクリル酸ベンジル、サリチル酸ビニル、塩化ビニリデン、クロロヘキサンカルボン酸ビニル、アクリル酸−２−クロロエチル、メタクリル酸−２−クロロエチル、アクリルニトリル、メタクリロニトリル、メタクリルアミド、Ｎ−メチロールメタクリルアミド、Ｎ−メトキシエチルメタクリルアミド、Ｎ−ブトキシメチルメタクリルアミド、（メタ）アクリル酸アミノエチル、（メタ）アクリル酸プロピルアミノエチル、メタクリル酸ジメチルアミノエチル、（メタ）アクリル酸アミノプロピル、メタクリル酸フェニルアミノエチル、メタクリル酸シクロヘキシルアミノエチル、アクリル酸またはメタクリル酸のアルキルエステル系誘導体、Ｎ−ビニルジエチルアミン、Ｎ−アセチルビニルアミン等のビニルアミン系誘導体、アリルアミン、メタクリルアミン、Ｎ−メチルアクリルアミン、Ｎ、Ｎ−ジメチルアクリルアミド、Ｎ、Ｎ−ジメチルアミノプロピルアクリルアミド等のアリルアミン系誘導体、アクリルアミド、Ｎ−メチルアクリルアミド等のアクリルアミド系誘導体、ｐ−アミノスチレン、N-メチロール（メタ）アクリルアミド及びジアセトンアクリルアミド、６−アミノヘキシルコハク酸イミド、２−アミノエチルコハク酸イミド、グリシジルメタクリレート、マレイン酸のモノ及びジグリシジルエステル、フマル酸のモノ及びジグリシジルエステル、クロトン酸のモノ及びジグリシジルエステル、テトラヒドロフタル酸のモノ及びジグリシジルエステル、イタコン酸のモノ及びグシジルエステル、ブテントリカルボン酸のモノ及びジグリシジルエステル、シトラコン酸のモノ及びジグリシジルエステル、アリルコハク酸のモノ及びグリシジルエステル等のジカルボン酸モノ及びアルキルグリシジルエステル、ｐ−スチレンカルボン酸のアルキルグリシジルエ���テル、アリルグリシジルエーテル、アクリル酸グリシジルエテール、メタアクリル酸グリシジルエテール、アクリル酸−２−エチルグリシジルエテール、メタアクリル酸−２−エチルグリシジルエテール、２−メチルアリルグリシジルエーテル、スチレン−ｐ−グリシジルエーテル、グリシジルアクリレート、アクリル酸−２−ヒドリキシエチル、メタクリル酸−２−ヒドリキシエチル、アクリル酸−２−ヒドリキシプロピル、アクリル酸又はメタクリル酸とポリプロピレングリコール又はポリエチレングリコールとのモノエステル、ラクトン類と（メタ）アクリル酸−２−ヒドロキシエチルとの付加物、（メタ）アクリル酸トリフルオロメチルメチル、（メタ）アクリル酸−２−トリフルオロメチルエチル、（メタ）アクリル酸−２−パ−フルオロメチルエチル、（メタ）アクリル酸−２−パ−フルオロエチル−２−パ−フルオロブチルエチル、（メタ）アクリル酸−２−パ−フルオロエチル、（メタ）アクリル酸パ−フルオロメチル、（メタ）アクリル酸ジパ−フルオロメチルメチル、酢酸ビニル、プロピオン酸ビニル、ｎ−酪酸ビニル、イソ酪酸ビニル、ピバリン酸ビニル、カプロン酸ビニル、パーサティック酸ビニル、ラウリル酸ビニル、ステアリン酸ビニル、安息香酸ビニル、ｐ−ｔ−ブチル安息香酸ビニル、サリチル酸ビニル、塩化ビニリデン、クロロヘキサンカルボン酸ビニル、アクリル酸−２−クロロエチル、メタクリル酸−２−クロロエチル、３−クロロ−２−ヒドロキシプロピルメタクレート、β−メタクロリロイルオキシエチルハイドロジェンフタレート、フェノキシエチルアクリレート、２−ヒドロキシ−３−フェノキシプロピルアクレレート、エチレングリコールジ（メタ）アクリレート、トリエチレングリコールジ（メタ）アクリレート、テトラエチレングリコールジ（メタ）アクリレート、ジエチレングリコールジ（メタ）アクリレート、ポリプロピレングリコールジ（メタ）アクリレート、ネオペンチルグリコールジ（メタ）アクリレート、トリメチロールプロパントリ（メタ）アクリレート、ペンタエリスリトールトリ（メタ）アクリレート、１，１，１−トリスヒドロキシメチルエタンジアクリレート、１，１，１−トリスヒドロキシメチルエタントリアクリレート、１，１，１−トリスヒドロキシメチルプロパントリアクリレート、Ｎ−メチロールアクリルアマイド等が挙げられる。
共重合体中、特定モノマー群から選ばれるモノマー単位の割合は、全モノマー単位の合計に対し、８０モル％以上が好ましく、１００モル％が特に好ましい。
【００６０】
前記単独重合体または共重合体の熱分解温度は、２００〜６００℃が好ましく、３００〜５００℃がより好ましい。
有機ポリマーとして、前記特定モノマー群の単独重合体または共重合体以外に、ポリエチレングリコール、ポリプロピレングリコール、ポリイソブチレングリコール、ポリエチレンオキサイド−ポリプロピレンオキサイドのジブロックポリマー、ポリエチレンオキサイド−ポリプロピレンオキサイド−ポリエチレンオキサイドのトリブロックポリマー、ポリビニルアルコール、シリコーン等を用いることもできる。
【００６１】
プラズマ処理により除去可能な粒子は、マトリックス前駆体および粒子（Ｃ）からなる膜にプラズマを照射することで分解、除去できる。該粒子の材質としては、前記の有機ポリマーが挙げられる。
溶剤浸漬により除去可能な粒子は、マトリックス前駆体および粒子（Ｃ）からなる膜を溶剤中に浸漬させることで溶解、除去できる。該粒子の材質としては、たとえば、ジグライム、Ｎ，Ｎ−ジメチルホルムアミド、Ｎ，Ｎ−ジメチルアセトアミド、酢酸エチル、アセト酢酸エチル、Ｎ−メチル−２−ピロリジノン、２−ピロリジノン、１，３−ジメチル−２−イミダゾリジノン、ジメチルスルホキシド、トルエン、キシレン、ベンゼン、トリクレン、ミネラルスピリット、ベンゾール、キシロール、γ−ブチロラクトン、テトラヒドロフラン、メチルエチルケトン、アセトン、ジクロロメタン、クロロホルム、塩化メチレン等の溶剤に溶解するものとして、ポリスチレン、ポリアクリル酸メチル等が挙げられる。
酸またはアルカリ浸漬により除去可能な粒子は、マトリックス前駆体および粒子（Ｃ）からなる膜を酸またはアルカリ中に浸漬させることで溶解、除去できる。該粒子の材質としては、たとえば塩酸、硝酸、硫酸等の酸に溶解するものとして、酸化亜鉛、塩基性炭酸亜鉛、炭酸カルシウム等が挙げられる。水酸化リチウム、水酸化ナトリウム、水酸化カリウム、アンモニア等のアルカリに溶解するものとして、酸化亜鉛等が挙げられる。
光照射により除去可能な粒子は、マトリックス前駆体および粒子（Ｃ）からなる膜に対し、光（たとえば紫外線等）を照射し、光溶解することで除去できる。該粒子の材質としては、たとえば酸化亜鉛、硫化カドミウム等が挙げられる。
前記プラズマ処理、溶剤浸漬、酸もしくはアルカリ浸漬、または光照射により粒子（Ｃ）を除去する場合、最表面緻密層を形成するため、粒子（Ｃ）を除去する工程の前およびまたは後に熱処理を行うことが好ましい。
【００６２】
マトリックス前駆体をマトリックスとする際の熱処理と同時に粒子（Ｃ）を除去することができ、製造工程が簡便になる点では、粒子（Ｃ）は、熱分解性材料からなることが好ましい。なかでも、熱分解温度の点で、カーボンまたは有機ポリマーからなることが好ましい。すなわち、粒子（Ｃ）は、カーボン粒子または有機ポリマー粒子であること好ましい。
カーボン粒子としては、市販のものを用いてもよく、公知のカーボンナノ粒子の製造方法により製造したものを用いてもよい。
有機ポリマー粒子としては、市販のものを用いてもよく、公知の有機ポリマーナノ粒子の製造方法により製造したものを用いてもよい。たとえば、公知の乳化重合法により、有機ポリマーナノ粒子が分散した分散液を得ることができる。具体的には、界面活性剤を含む水中にモノマーを添加し、混合してミセルを形成させ、重合開始剤を加えて重合させることにより、有機ポリマーナノ粒子の水分散液が得られる。また、界面活性剤を用いないソープフリー重合法によって得られた有機ポリマーナノ粒子を用いても良い。
【００６３】
粒子（Ｃ）の平均一次粒子径は、２０〜１３０ｎｍであり、３０〜１００ｎｍであることが好ましい。粒子（Ｃ）の平均一次粒子径が２０ｎｍ以上であると、直径２０ｎｍの空孔を有するシリカ系多孔質膜を形成でき、１３０ｎｍ以下であると、最表面開放孔数を１３個／１０６ｎｍ以下にすることができる。また、粒子（Ｃ）の平均一次粒子径が２０〜１３０ｎｍの範囲内であると、平均空孔直径が１５〜１００ｎｍの範囲内となりやすい。
本明細書における平均一次粒子径は、透過型電子顕微鏡にて観察して得られる像から１００個の粒子を無作為に選び出し、各粒子の粒子径を測定し、１００個の粒子の粒子径を平均したものである。
【００６４】
粒子（Ｃ）としては、１種を単独で用いてもよく、材料、平均一次粒子径等が異なる２種以上を併用してもよい。
塗布液中の粒子（Ｃ）の含有量は、粒子（Ｃ）の含有量に対する、前記マトリックス前駆体の含有量（ＳｉＯ２換算）の質量比［マトリックス前駆体／粒子］が０．７〜６．０の範囲内となる量であることが好ましく、１．０〜４．０の範囲内となる量であることがより好ましい。
マトリックス前駆体／粒子が６．０以下であれば、シリカ系多孔質膜１４中の空隙率が充分に高くなり、シリカ系多孔質膜１４の屈折率が充分に低く（たとえば１．３８以下）になる。マトリックス前駆体／粒子が０．７以上であれば、シリカ系多孔質膜１４中の空隙率が高くなりすぎず、耐久性に優れる。
【００６５】
［液体媒体（Ｄ）］
液体媒体（Ｄ）は、マトリックス前駆体を溶解し、かつ粒子（Ｃ）を分散する液体であり、単一の液体からなるものでも２種以上の液体を混合した混合液であってもよい。
シラン化合物（１）、（２）の加水分解に水が必要となるため、液体媒体（Ｄ）は少なくとも水を含むことが好ましい。
水と他の液体とを併用してもよい。該他の液体としては、たとえば、アルコール類（メタノール、エタノール、イソプロパノール、ブタノール、ジアセトンアルコール等）、ケトン類（アセトン、メチルエチルケトン、メチルイソブチルケトン等）、エーテル類（テトラヒドロフラン、１，４−ジオキサン等）、セロソルブ類（メチルセロソルブ、エチルセロソルブ等）、エステル類（酢酸メチル、酢酸エチル等）、グリコールエーテル類（エチレングリコールモノアルキルエーテル等）、含窒素化合物（Ｎ，Ｎ−ジメチルアセトアミド、Ｎ，Ｎ−ジメチルホルムアミド、Ｎ−メチルピロリドン等）、含硫黄化合物（ジメチルスルホキシド等）等が挙げられる。
前記他の液体のうち、マトリックス前駆体の溶媒としては、アルコール類が好ましく、メタノール、エタノール、イソプロパノールが特に好ましい。
前記他の液体のうち、粒子（Ｃ）の分散媒としては、アルコール類、ケトン類、エーテル類、セロソルブ類、エステル類、グリコールエーテル類、含窒素化合物、含硫黄化合物等のいずれを用いてもよい。
【００６６】
塗布液は、本発明の効果を損なわない範囲で、マトリックス前駆体、粒子（Ｃ）以外の他の成分を含有してもよい。
該他の成分としては、たとえば、マトリックス前駆体の反応性を向上させるための硬化触媒（金属キレート、金属アルコレート、有機スズ等）等が挙げられる。
【００６７】
塗布液の調製方法としては、マトリックス前駆体の溶液と、粒子（Ｃ）の分散液とを混合する方法が挙げられ、化合物（Ａ）を含む溶液（以下、前駆体溶液Ａともいう。）と、化合物（Ｂ１）および化合物（Ｂ２）を含む溶液（以下、前駆体溶液Ｂともいう。）と、粒子（Ｃ）の分散液とを混合する方法が好ましい。
前駆体溶液Ａは、シラン化合物（１−２）を、必要に応じてシラン化合物（１−１）、（１−３）、（２）とともに、加水分解処理することにより調製できる。
前駆体溶液Ｂは、シラン化合物（１−１）および（１−３）のいずれか一方または両方と、シラン化合物（２）とを、加水分解処理することにより調製できる。
前駆体溶液Ｂの調製方法としてより具体的には、下記の方法（α）〜（γ）が挙げられる。
（α）溶液中のシラン化合物（１）（（１−１）または（１−３））および化合物（２）を加水分解した後、必要に応じて溶媒で希釈する方法。
（β）溶液中のシラン化合物（２）を加水分解した後（好ましくは加水分解から１時間以上経過した後）、シラン化合物（１）（（１−１）または（１−３））の溶液を加え、必要に応じて溶媒で希釈する方法。
（γ）溶液中のシラン化合物（２）を加水分解した後、溶媒で希釈し、ついでシラン化合物（１）（（１−１）または（１−３））の溶液を加える方法。
これらのなかでも、シラン化合物（１）とシラン化合物（２）の共加水分解が効率的に行われる点から、方法（α）が好ましい。
前駆体溶液Ａとして、シラン化合物（１）とシラン化合物（２）との共加水分解物や部分縮合物を含むものや、化合物（Ａ）の他に化合物（Ｂ２）を含むものを調製する場合、上述した前駆体溶液Ｂの調製において、シラン化合物（１）として少なくともシラン化合物（１−２）を用いる以外は、同様の方法で調製できる。また、下記の方法（δ）等によっても調製できる。
（δ）溶液中のシラン化合物（１）（少なくとも（１−２）を含む。）を加水分解した後（好ましくは加水分解から１時間以上経過した後）、シラン化合物（２）の溶液を加えて加水分解し、必要に応じて溶媒で希釈する方法。
【００６８】
塗布液の塗布方法としては、公知のウェットコート法（スピンコート法、スプレーコート法、ディップコート法、ダイコート法、カーテンコート法、スクリーンコート法、インクジェット法、フローコート法、グラビアコート法、バーコート法、フレキソコート法、スリットコート法、ロールコート法、スポンジコート法等）等を用いることができる。
塗布液の塗布時の液温度は、１０〜１００℃が好ましく、２０〜８０℃がより好ましい。
【００６９】
熱処理温度は、ガラス板１２、粒子（Ｃ）またはマトリックス前駆体に応じて適宜決定すればよい。
マトリックス前駆体をマトリックス２１とするためには、８０℃以上で熱処理すればよいが、１００℃以上が好ましく、２００〜７００℃がより好ましい。熱処理温度が１００℃以上であれば、マトリックス２１が緻密化して耐久性が向上する。熱処理温度が７００℃以下であれば、ガラスからのアルカリ拡散が低く抑えられるため耐湿性が良好である。
粒子（Ｃ）が、カーボン、有機ポリマー等の熱分解性材料で構成され、該粒子（Ｃ）を熱処理により除去する場合、該熱分解性材料の熱分解温度以上の温度で熱処理を行うことにより、粒子（Ｃ）を除去できる。この場合の熱処理温度は、（熱分解温度＋１００℃）以上が好ましく、（熱分解温度＋５０℃）以上がより好ましい。
粒子（Ｃ）を熱処理により除去する場合、該熱処理の前に、該熱分解温度よりも低い温度で、マトリックス前駆体をマトリックス２１とするための熱処理を行ってもよい。
熱処理はガラスを強化する工程を兼ねることが好ましい。太陽電池用途等にガラスを使用する際には安全性の観点から、強化ガラスが用いられる。強化ガラスは表面に圧縮応力を有しており、一般的なフロート板ガラスに比べ高い強度を持ち、破損しても粒状になるために安全性に優れている。
ガラスを強化する手法としては、ガラスを６００〜７００℃に加熱した後に表面に空気を吹き付けて急冷する熱強化法および、ナトリウムイオンを含有したガラスを、カリウムイオンを含有した３００〜５００℃の溶融塩に含浸させることで、ガラス表面でイオン交換を行う化学強化法が挙げられる。
【００７０】
熱処理により粒子（Ｃ）を除去できない場合は、熱処理の前または後に、粒子（Ｃ）を、熱処理以外の除去で除去する。
熱処理以外の除去方法としては、粒子（Ｃ）の説明で挙げたように、プラズマ処理、溶剤浸漬、酸またはアルカリ浸漬、光照射などが挙げられる。具体的には、マトリックス前駆体および粒子（Ｃ）からなる膜にプラズマを照射する方法、該膜を溶剤中に浸漬する方法、該膜を酸またはアルカリ中に浸漬する方法、該膜に対し光照射する方法等が挙げられる。
製造工程に簡便性の点では、粒子（Ｃ）として、カーボン、有機ポリマー等の熱分解性材料で構成されるものを使用し、熱処理により粒子（Ｃ）を除去すると同時に、さらにガラスを強化することが好ましい。
【００７１】
（作用効果）
以上説明した製造方法においては、前記塗布液を、物品１０上に塗布し、必要に応じて予熱し、熱処理し、粒子（Ｃ）を除去する一連の工程を１回行うことで、空孔２２の分布状態が異なる２層構造（直径２０ｎｍ以上の空孔２２が存在しない最表面緻密層１４ｂと、それよりもガラス基板１２側の、直径２０ｎｍ以上の空孔２２が存在する層）を有するシリカ系多孔質膜１４を形成することができる。
【００７２】
本発明の製造方法においては、マトリックス前駆体として、少なくとも３種の化合物（Ａ）、（Ｂ１）、（Ｂ２）を併用することが重要である。
化合物（Ａ）、（Ｂ１）、（Ｂ２）は、上述したように、シラン化合物（１）および（２）のいずれか一方または両方に由来するものであり、化合物（Ａ）、（Ｂ１）は、シラン化合物（１）に由来して、Ｙ（Ｙ−ＯＨの誘電率が５０Ｆ／ｍ以下である非加水分解性基）を含み、化合物（Ｂ２）はＹを含まない。化合物（Ａ）と（Ｂ１）とは、ｎの値、Ｘの含有量、ひいてはＹの含有量が異なる。
シラン化合物（１）：下記一般式（１）で表される化合物。
シラン化合物（２）：下記一般式（２）で表される化合物。
ＹｎＳｉＸ４−ｎ    …（１）
ＳｉＸ４          …（２）
［式中、Ｘは加水分解性基を示し、Ｙは、Ｙ−ＯＨの誘電率が５０Ｆ／ｍ以下である非加水分解性基を示し、ｎは１〜３の整数を示す。］
【００７３】
そのため、化合物（Ａ）、（Ｂ１）、（Ｂ２）はそれぞれ誘電率（極性）が異なっている。これらの中では、シラン化合物（２）から形成される化合物（Ｂ２）が、最も誘電率が大きい。また、化合物（Ａ）と化合物（Ｂ１）とでは、化合物（Ａ）の方が、全体として誘電率が低い傾向がある（ｎ＝１のシラン化合物（１−１）の場合、ｎ＝２のシラン化合物（１−２）の場合よりもＹの数が少なく、ｎ＝３のシラン化合物（１−３）の場合、ほとんど縮合せずに存在していると考えられるため。）。
本来は化合物（Ａ）、（Ｂ１）、（Ｂ２）それぞれの誘電率、つまりシラン化合物（１）、（２）それぞれの加水分解物（ＹｎＳｉ（ＯＨ）４−ｎ、Ｓｉ（ＯＨ）４）およびその部分縮合物の誘電率、で議論すべきであるが、加水分解物および部分縮合物自体の誘電率を測定することは困難であるため、本発明者らは、類似化合物の誘電率を適用しモデル化して検証を行った。
具体的には、シラン化合物（１）の加水分解物および部分縮合物（化合物（Ａ）、（Ｂ１））としてＹ−ＯＨ、シラン化合物（２）の加水分解物および部分縮合物（化合物（Ｂ２））の類似化合物としてＨＯ−ＯＨ（過酸化水素）を選定した。シラン化合物（２）の加水分解物の大部分はＳｉ（ＯＨ）４であり、その誘電率はＨＯ−ＯＨに近いものとなる。
結果として、ＨＯ−ＯＨとＹ−ＯＨの誘電率差が大きければ、誘電率の小さい化合物が塗膜中を浮上しやすく、その結果として、最表面緻密層１４ｂが形成されやすいことが判明した。
【００７４】
ＨＯ−ＯＨの誘電率は８９．２Ｆ／ｍである。これよりも誘電率が小さいＹ−ＯＨにおけるＹを有することにより、シラン化合物（１）の加水分解物や部分縮合物の界面自由エネルギーは、シラン化合物（２）の加水分解物（Ｓｉ（ＯＨ）４）や部分縮合物の界面自由エネルギーよりも低い。
なお、Ｙが、フッ素原子で置換されていてもよい炭化水素基である場合、以下に示すように、炭化水素基の鎖長が長いほど、または炭化水素基の水素原子を置換するフッ素原子の数が多いほど、Ｙ−ＯＨの誘電率が小さい傾向がある。
［シラン化合物（１）の類似化合物（Ｙ―ＯＨ）］
ＣＨ３−ＯＨ（メタノール：誘電率３３．１Ｆ／ｍ）。
ＣＨ３ＣＨ２−ＯＨ（エタノール：誘電率２３．８Ｆ／ｍ）。
ＣＨ３（ＣＨ２）５−ＯＨ（１−ヘキサノール：誘電率１３．３Ｆ／ｍ）。
Ｃ６Ｈ５−ＯＨ（フェノール：誘電率２．９Ｆ／ｍ）。
ＣＦ３ＣＨ２−ＯＨ（トリフルオロエタノール：誘電率２．１Ｆ／ｍ）。
【００７５】
シラン化合物（１）の加水分解物や部分縮合物の界面自由エネルギーが、シラン化合物（２）の加水分解物や部分縮合物の界面自由エネルギーよりも低いことから、化合物（Ａ）、（Ｂ１）および（Ｂ２）を含む塗布液をガラス板等の物品の表面に塗布すると、Ｙを有する化合物（Ａ）、（Ｂ１）が塗膜中を浮上し、他方、非加水分解性基Ｙを有さない化合物（Ｂ２）は、ほとんど塗膜中を浮上しない。また、平均一次粒子径がある程度大きい粒子（Ｃ）もほとんど浮上しない。そのため、塗膜中で、化合物（Ａ）、（Ｂ１）、（Ｂ２）および粒子（Ｃ）の濃度勾配（偏在）が生じる。具体的には、塗膜中の最表面側に化合物（Ａ）、（Ｂ１）が偏在し、これに伴って、塗膜中の物品側に化合物（Ｂ２）および粒子（Ｃ）が偏在することになる。特に化合物（Ａ）は、上述のように、全体として化合物（Ｂ１）よりも誘電率が低い傾向があり、より最表面側（上層側）に偏在する傾向がある。
そのため、該塗膜を熱処理して化合物（Ａ）、（Ｂ１）および（Ｂ２）をそれぞれマトリックスとし、該熱処理と同時に、または熱処理の前または後に、粒子（Ｃ）の材質に応じた除去処理を施すことで、下層側は、粒子（Ｃ）の形状に対応した形状の空孔２２を有する領域となり、上層側は、該空孔２２をほとんど有さない領域（最表面緻密層１４ｂ）となる。
【００７６】
上記のようにして形成されるシリカ系多孔質膜１４の上層側（最表面緻密層１４ｂ）と下層側（直径２０ｎｍ以上の空孔２２が分布している領域）とでは、マトリックス２１の組成が異なると考えられる。つまり、下層側を構成するマトリックス２１は、主に化合物（Ｂ２）の熱処理物から構成され、非加水分解性基Ｙに由来する構造を含まないか、含んでもごくわずかである。上層側を構成するマトリックス２１は、主に化合物（Ａ）または化合物（Ｂ１）の熱処理物から構成され、シラン化合物（１）が有する非加水分解性基Ｙに由来する構造を含む。
特に最表面１４ａ付近のマトリックス２１は、主に化合物（Ａ）の熱処理物から構成される。化合物（Ａ）はＸの含有量が低いため、化合物（Ａ）から形成されるマトリックスは、化合物（Ｂ１）や化合物（Ｂ２）から形成されるマトリックスよりも疎水性が高い。
【００７７】
したがって、塗布液が化合物（Ａ）を含有すると、これを含まない場合に比べて、形成されるシリカ系多孔質膜１４の疎水性が高くなり、たとえば最表面の水接触角が７０°以上であるシリカ系多孔質膜１４を形成することができる。最表面の水接触角が７０°以上であると、防汚性が向上し、反射防止膜としての有用性が向上する。
また、塗布液が化合物（Ｂ１）を含有すると、これを含まない場合に比べて、形成されるシリカ系多孔質膜１４の摩耗等に対する耐久性が向上する。その効果は特に、基（Ｙ１）を有する場合に顕著である。これは、二重結合解裂重合反応をすることでマトリクスを形成するＳｉ原子間に炭素鎖が形成され、可撓性が増すためと考えられる。
【００７８】
該製造方法においては、塗布液中のマトリックス前駆体（化合物（Ａ）、（Ｂ１）、（Ｂ２））の含有量、粒子（Ｃ）の平均一次粒子径等により、形成される最表面緻密層の平均膜厚ｄを調整できる。
たとえば、マトリックス前駆体中、化合物（Ａ）、化合物（Ｂ１）の含有割合が多い（化合物（Ｂ２）の含有割合が少ない）ほど、最表面緻密層平均膜厚ｄが厚くなる傾向がある。また、粒子（Ｃ）の平均一次粒子径が大きいほど、粒子（Ｃ）が最表面側に浮上しにくく、最表面緻密層平均膜厚ｄが厚くなる傾向がある。
【００７９】
該製造方法においては、化合物（Ｂ２）と化合物（Ａ）との誘電率差によって、最表面緻密層１４ｂの平均膜厚ｄを調整できる。たとえばシラン化合物（２）が有するＸ（加水分解性基）がアルコキシ基である場合、該アルコキシ基の炭素数が小さいほど、加水分解の進行が速いためＳｉ−ＯＨへの転換が進みやすい。結果として化合物（Ｂ２）の誘電率が大きくなる（誘電率：Ｓｉ−Ｘ＜Ｓｉ−ＯＨ）り、化合物（Ｂ２）と化合物（Ａ）との誘電率差が大きくなり、塗膜中で化合物（Ａ）が最表層側に偏在しやすくなって、最表面緻密層１４ｂの平均膜厚ｄが厚くなる傾向がある。
最表面緻密層１４ｂの平均膜厚ｄを厚くする観点では、化合物（Ｂ２）は、シラン化合物（２）として、アルコキシ基の炭素数が１または２であるテトラアルコキシシランを用いたものが好ましい。
【００８０】
該製造方法においては、粒子（Ｃ）の配合量によって、形成されるシリカ系多孔質膜１４の屈折率を調整できる。たとえば塗布液の全固形分に対する粒子（Ｃ）の含有量が多いほど、屈折率が低くなる傾向があり、たとえば屈折率を１．３８以下とすることができる。屈折率が低いほど、反射率が低くなり、反射防止性能が向上する。
また、該製造方法によれば、形成されるシリカ系多孔質膜１４の算術平均粗さを３．０ｎｍ以下とすることができる。これは、最表面付近が、多孔質構造ではなく、粒子（Ｃ）に由来する空孔がほとんどない緻密な構造であるため、多孔質構造が製造工程での衝撃等により壊れて表面平滑性が低下することを防止できるためと考えられる。最表面付近の空孔算術平均粗さが小さいほど、耐摩耗性、防汚性等が向上し、反射防止膜としての有用性が向上する。
【００８１】
なお、公知のシリカ系多孔質膜の製造方法の一つとして、マトリックス前駆体の溶液中に中空シリカ微粒子を分散させた塗布液を塗布、熱処理する方法がある。この方法の場合、中空シリカ微粒子の大きさが小さければ、表面開放孔数が１３個／１０６ｎｍ２以下のシリカ系多孔質膜を形成することはできる。ただし、屈折率を１．３８以下とするために中空シリカ微粒子の大きさを大きく（たとえば内部の空孔直径が２０ｎｍ以上）すると、中空シリカ微粒子間に直径２０ｎｍ以上の空孔が形成され、該空孔が最表面に開口する。また、最表面に中空シリカ微粒子の形状が反映されるため、算術平均粗さ（Ｓａ）が３ｎｍよりも大きくなりやすい。
【００８２】
＜第二実施形態のシリカ系多孔質膜付き物品＞
図３は、本発明のシリカ系多孔質膜を物品の表面に有するシリカ系多孔質膜付き物品の第二実施形態を示す断面図である。なお、本実施形態において、第一実施形態に対応する構成要素には同一の符号を付してその詳細な説明を省略する。
本実施形態のシリカ系多孔質膜付き物品２０は、ガラス板１２と、ガラス板１２の表面に形成されたアンダーコート層１６と、アンダーコート層１６の表面に形成されたシリカ系多孔質膜１４とを有する。
アンダーコート層１６は、アルカリバリア層やワイドバンドの低屈折率層としての機能を有する。アンダーコート層１６をガラス板１２とシリカ系多孔質膜１４との間に有することで、耐久性、特に耐湿熱性がより向上する。また、反射防止性能および反射色が無彩色化するため外観等も向上する。
【００８３】
アンダーコート層１６としては、シリカを主成分とするマトリックスのみから構成される層、シリカを主成分とするマトリックス中に複数の空孔を有する層、シリカを主成分とするマトリックス中にシリカ中実粒子を有する層、シリカを主成分とするマトリックス中にシリカ中空粒子を有する層等が挙げられる。
シリカを主成分とするマトリックスとしては、ゾルゲルシリカ（アルコキシシランの加水分解物または部分縮合物）の熱処理物、シラザンの熱処理物等が挙げられ、ゾルゲルシリカの熱処理物が好ましい。
アンダーコート層の膜厚は、１０〜５００ｎｍが好ましい。
アンダーコート層の屈折率は、１．３０〜１．５０が好ましく、１．３５〜１．４６がより好ましい。
【００８４】
ゾルゲルシリカに用いるアルコキシシランとしては、前記シラン化合物（１）、シラン化合物（２）、その他公知のアルコキシシランを用いることができる。たとえばテトラアルコキシシラン（テトラメトキシシラン、テトラエトキシシラン、テトラプロポキシシラン、テトラブトキシシラン等）、パーフルオロポリエーテル基を有するアルコキシシラン（パーフルオロポリエーテルトリエトキシシラン等）、パーフルオロアルキル基を有するアルコキシシラン（パーフルオロエチルトリエトキシシラン等）、ビニル基を有するアルコキシシラン（ビニルトリメトキシシラン、ビニルトリエトキシシラン等）、エポキシ基を有するアルコキシシラン（２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等）、アクリロイルオキシ基を有するアルコキシシラン（３−アクリロイルオキシプロピルトリメトキシシラン等）等が挙げられる。
アルコキシシランの加水分解物および部分縮合物は、シラン化合物（１）の加水分解物および部分縮合物と同様の方法で得ることができる。
【００８５】
＜第二実施形態のシリカ系多孔質膜付き物品の製造方法＞
シリカ系多孔質膜付き物品２０は、たとえば、ガラス板１２の上に、アンダーコート層１６を形成するための塗布液（以下、下層塗布液ともいう。）、シリカ系多孔質膜１４を形成するための塗布液（以下、上層塗布液ともいう。）を順次塗布し、熱処理することによって製造できる。
熱処理は、上層塗布液を塗布した後のみ行ってもよく、下層塗布液を塗布した後および上層塗布液を塗布した後に行ってもよい。また、ガラス板１２をあらかじめ熱処理温度に加熱しておき、該ガラス板１２の表面に下層塗布液、上層塗布液を順次塗布してもよい。
下層塗布液の塗布後、上層塗布液を塗布する前に熱処理を行う場合の熱処理温度は、５０〜３００℃が好ましく、１００〜２００℃がより好ましい。
上層塗布液およびこれを用いたシリカ系多孔質膜１４の形成手順は、第一実施形態と同様である。
【００８６】
［下層塗布液］
下層塗布液としては、マトリックス前駆体の溶液（ゾルゲルシリカの溶液、シラザンの溶液等）；粒子（Ｃ）または中空粒子の分散液とマトリックス前駆体の溶液との混合物；シリカ中実粒子の分散液とマトリックス前駆体の溶液との混合物等が挙げられる。
下層塗布液は、透過率向上および反射色の無色化のための中空シリカ粒子、レベリング性向上のための界面活性剤、塗膜の耐久性向上のための金属化合物等を含んでいてもよい。
【００８７】
マトリックス前駆体としては、ゾルゲルシリカ（アルコキシシランの加水分解物または部分縮合物）、シラザン等が挙げられ、ゾルゲルシリカが好ましい。
アルコキシシランとしては、前記シラン化合物（１）、シラン化合物（２）、その他公知のアルコキシシランを用いることができる。たとえばテトラアルコキシシラン（テトラメトキシシラン、テトラエトキシシラン、テトラプロポキシシラン、テトラブトキシシラン等）、パーフルオロポリエーテル基を有するアルコキシシラン（パーフルオロポリエーテルトリエトキシシラン等）、パーフルオロアルキル基を有するアルコキシシラン（パーフルオロエチルトリエトキシシラン等）、ビニル基を有するアルコキシシラン（ビニルトリメトキシシラン、ビニルトリエトキシシラン等）、エポキシ基を有するアルコキシシラン（２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等）、アクリロイルオキシ基を有するアルコキシシラン（３−アクリロイルオキシプロピルトリメトキシシラン等）等が挙げられる。
ゾルゲルシリカは、シラン化合物（１）の加水分解物および部分縮合物と同様の方法で得ることができる。
【００８８】
マトリックス前駆体の溶媒としては、前記液体媒体（Ｄ）と同様のものが挙げられ、水とアルコール類（メタノール、エタノール、イソプロパノール、ブタノール、ジアセトンアルコール等）との混合溶媒が好ましい。
粒子（Ｃ）、中空粒子またはシリカ中実粒子の分散液の分散媒としては、水、アルコール類、ケトン類、エーテル類、セロソルブ類、エステル類、グリコールエーテル類、含窒素化合物、含硫黄化合物等が挙げられ、それぞれ前記液体媒体（Ｄ）で挙げたものと同様のものが挙げられる。
【００８９】
アンダーコート層１６形成用の塗布液の塗布方法としては、公知のウェットコート法（スピンコート法、スプレーコート法、ディップコート法、ダイコート法、カーテンコート法、スクリーンコート法、インクジェット法、フローコート法、グラビアコート法、バーコート法、フレキソコート法、スリットコート法、ロールコート法等）等が挙げられる。
アンダーコート層１６形成用の塗布液の塗布時の液温度は、室温〜２００℃が好ましく、室温〜１５０℃がより好ましい。
【００９０】
以上、本発明について、実施形態例を示して説明したが、本発明は上記実施形態に限定されない。上記実施形態における各構成及びそれらの組み合わせ等は一例であり、本発明の趣旨を逸脱しない範囲内で、構成の付加、省略、置換、およびその他の変更が可能である。
たとえば、上記実施形態では、前記塗布液を、ガラス板１２上に塗布し、熱処理し、粒子（Ｃ）を除去する一連の工程を１回行うことによってシリカ系多孔質膜１４を形成する例を示したが、本発明はこれに限定されない。たとえばシリカ系多孔質膜１４は、前記の工程を複数回行うことによって形成された膜であってもよい。製造の簡便性、膜の均質性等の点からは、前記の工程を１回または２回行うことによって形成された膜であることが好ましく、前記の工程を１回行うことによって形成された膜であることが特に好ましい。
前記の工程を２回以上行う場合、各工程で用いる塗布液の組成（マトリックス前駆体、粒子（Ｃ）の種類や配合量等）は同じでも異なってもよい。
【００９１】
シリカ系多孔質膜付き物品１０、２０は、ガラス板１２とシリカ系多孔質膜１４との間に、アンダーコート層１６以外の他の層を有してもよい。該他の層としては、たとえば、指紋除去層、帯電防止層、撥水性防汚層、親水性防汚層、紫外線遮蔽層、赤外線遮蔽層、波長変換層等が挙げられる。
【００９２】
上記実施形態では、本発明のシリカ系多孔質膜を、ガラス板上に設けた例を示したが、本発明のシリカ系多孔質膜を表面に設ける物品はガラス板に限定されない。たとえば有機樹脂フィルム、有機樹脂板、有機−無機ハイブリッド基板等であってもよい。
本発明のシリカ系多孔質膜を設ける物品としては、ガラス、有機樹脂等の透明材料からなるものが好ましく、ガラス板が好適である。
【００９３】
本発明のシリカ系多孔質膜は、優れた防汚性を有し、反射防止性能も良好である。また、耐湿熱性、耐摩耗性等の耐久性にも優れる。そのため、ガラス板等の各種物品用の反射防止膜として有用である。
本発明のシリカ系多孔質膜を表面に有するシリカ系多孔質膜付き物品は、車両用透明部品（ヘッドライトカバー、サイドミラー、フロント透明基板、サイド透明基板、リア透明基板等） 、車両用透明部品（インスツルメントパネル表面等） 、メーター、建築窓、ショーウインドウ、ディスプレイ（ノート型パソコン、モニター、ＬＣＤ、ＰＤＰ 、ＥＬＤ、ＣＲＴ、ＰＤＡ等）、ＬＣＤカラーフィルター、タッチパネル用基板、ピックアップレンズ、光学レンズ、眼鏡レンズ、カメラ部品、ビデオ部品、ＣＣＤ用カバー基板、光ファイバー端面、プロジェクター部品、複写機部品、太陽電池用透明基板、携帯電話窓、バックライトユニット部品（たとえば、導光板、冷陰極管等）、バックライトユニット部品液晶輝度向上フィルム（たとえば、プリズム、半透過フィルム等）、液晶輝度向上フィルム、有機ＥＬ発光素子部品、無機ＥＬ発光素子部品、蛍光体発光素子部品、光学フィルター、光学部品の端面、照明ランプ、照明器具のカバー、増幅レーザー光源、反射防止フィルム、偏光フィルム、農業用フィルム等として有用である。
上記のうち、太陽電池用透明基板、特にカバーガラス用途においては、太陽電池の製造工程で、溶融した封止材（ＥＶＡ等）の付着を防止でき、かつその付着跡がつきにくい防汚性が要求される。本発明の物品は、このような要求を満たすことから、太陽電池用透明基板としての有用性が高い。
【実施例】
【００９４】
以下、実施例により本発明をさらに詳しく説明する。ただし本発明は、以下の実施例に限定されるものではない。
後述する例１〜１６のうち、例１〜１２が実施例であり、例１３〜１６が比較例である。
各例で用いた測定方法、評価方法を以下に示す。
【００９５】
（粒子の平均一次粒子径）
粒子分散液を水で０．１質量％に希釈した後、コロジオン膜上にサンプリングして透過型電子顕微鏡（日立製作所社製、型式：Ｈ−９０００）にて観察し、１００個の粒子（Ｂ）を無作為に選び出し、各粒子の直径を計測した平均値を粒子の平均一次粒子径とした。
【００９６】
（マトリックス前駆体の重量平均分子量）
マトリックス前駆体をテトラヒドロフランで０．５％に希釈した後、高速ＧＰＣ装置（東ソー社製、型式：ＨＬＣ−８３２０ＧＰＣ）を用いて測定を行った。
【００９７】
（平均反射率（５°入射））
製造したシリカ系多孔質膜付きガラス板の上層（シリカ系多孔質膜）側の表面に入射角５°で入射する光の反射率を分光光度計（日立製作所社製、型式：Ｕ−４１００）により測定し、波長４００〜１１００ｎｍの範囲内における平均反射率（％）を求めた。なお、ガラス板の裏面光反射を防ぐために裏面を黒色で塗りつぶして測定を行った。
【００９８】
（平均透過率（０°入射））
製造したシリカ系多孔質膜付きガラス板の上層（シリカ系多孔質膜）側の表面に入射角０°で入射する光の透過率を分光光度計（日立製作所社製、型式：Ｕ−４１００）により測定し、波長４００〜１１００ｎｍの範囲内における平均透過率（％）を求めた。なお、ガラス板の裏面光拡散を防ぐために裏面に石英ガラスをアニソールで張り付けて測定を行った。
【００９９】
（平均総膜厚、最表面緻密層平均膜厚）
平均総膜厚、最表面緻密層平均膜厚はそれぞれ、製造したシリカ系多孔質膜付きガラス板の断面を走査型電子顕微鏡ＳＥＭ（日立製作所社製、型式：Ｓ−４３００）にて観察して得られる像から、シリカ系多孔質膜、最表面緻密層それぞれの膜厚を１００箇所計測し、それらの平均値を算出して求めた。
【０１００】
（平均空孔直径）
製造したシリカ系多孔質膜付きガラス板の上層（シリカ系多孔質膜）における平均空孔直径は、走査型電子顕微鏡ＳＥＭ（日立製作所社製、型式：Ｓ−４３００）により１００個の空孔の直径を計測し、それらの平均値を算出して求めた。
【０１０１】
（最表面開放孔数）
最表面開放孔数は、製造したシリカ系多孔質膜付きガラス板の上層（シリカ系多孔質膜）側の最表面を走査型電子顕微鏡ＳＥＭ（日立製作所社製、型式：Ｓ−４３００）にて観察し、得られる像から、１０００ｎｍ×１０００ｎｍの領域内に存在する、直径２０ｎｍ以上の大きさの開口の数を計測することで求めた。
【０１０２】
（上層屈折率）
シリカ系多孔質膜の屈折率は、製造したシリカ系多孔質膜付きガラス板をエリプソメーター（Ｊ．Ａ．Ｗｏｏｌｌａｍ社製、型式：Ｍ−２０００ＤＩ）で測定し、波長５８９．３ｎｍの屈折率を求めた。なお、ガラス板の裏面反射を防ぐために裏面を黒色で塗りつぶして測定を行った。
【０１０３】
（算術平均粗さ）
製造したシリカ系多孔質膜付きガラス板の上層（シリカ系多孔質膜）側の最表面の算術平均粗さ（Ｓａ）は、走査型プローブ顕微鏡装置（ＳＩＩナノテクノロジー社製、ＳＰＡ４００ＤＦＭ）を用いて、測定範囲１０μｍ×１０μｍにて測定した。
【０１０４】
（耐湿試験後平均透過率）
製造したシリカ系多孔質膜付きガラス板を８５℃、相対湿度８５％の恒温恒湿槽に投入し、１０００時間保持する耐湿試験を行った。
耐湿試験後のシリカ系多孔質膜付きガラス板について、前記と同じ手順で波長４００〜１１００ｎｍの平均透過率（０°入射）を求めた。
測定結果から、耐湿試験前後の平均透過率の変化量（耐湿試験前の平均透過率（％）−耐湿試験後の平均透過率（％））を求めた。
該変化量が０に近いほど、シリカ系多孔質膜の耐湿熱性が高いことを示す。該変化量は、０〜１．５が好ましく、０〜０．５が特に好ましい。
【０１０５】
（摩耗試験後平均透過率）
製造したシリカ系多孔質膜付きガラス板の表面を、湿度５０％、温度２３℃の雰囲気中にて、４．９ｃｍ×１．２５ｃｍのフェルトで、１ｋｇの荷重をかけて１０００回往復させる磨耗試験を行った。
摩耗試験後のシリカ系多孔質膜付きガラス板について、前記と同じ手順で波長４００〜１１００ｎｍの平均透過率（０°入射）を求めた。
測定結果から、摩耗試験前後の平均透過率の変化量（摩耗試験前の平均透過率（％）−摩耗試験後の平均透過率（％））を求めた。
該変化量が０に近いほど、シリカ系多孔質膜の耐摩耗性が高いことを示す。該変化量は、０〜１．５が好ましく、０〜０．５が特に好ましい。
【０１０６】
（水接触角）
注射針から１μＬの水滴（２０±５℃）を、シリカ系多孔質膜の表面上に、１．５ｃｍ間隔で６箇所に滴下し、水平方向より撮影した水滴の半径と高さからθ／２法により、それぞれの接触角を算出し、６点の平均値をその膜の接触角とした。
【０１０７】
（ＥＶＡ剥離力）
厚さ０．８ｍｍのエチレン−酢酸ビニル共重合体系樹脂（ＥＶＡ）フィルムを幅５ｍｍ、長さ４０ｍｍに切り出し、シリカ系多孔質膜の表面上に載せ、１６０℃で３０分間、乾燥炉中で保持した。乾燥炉から取り出して基板温度が室温まで下がった後、シリカ系多孔質膜に付着したＥＶＡフィルムを引き剥がすのに必要な力（ＥＶＡ剥離力、単位：ｇ／５ｍｍ）を、ばね秤を用いて測定した。
【０１０８】
（マトリックス前駆体溶液）
各例で使用したマトリックス前駆体溶液Ａ−１〜Ａ−６の固形分濃度（質量％）、溶媒、含まれるマトリックス前駆体の種類（化合物（Ａ）、（Ｂ２））と組成（マトリックス前駆体の全量を１００モル％としたときの各化合物の割合（ＳｉＯ２換算でのモル％））、化合物（Ａ）を形成するシラン化合物（１）のうちｎ＝２の化合物（シラン化合物（１−２））の割合（ＳｉＯ２換算でのモル％）を表１に示す。
各例で使用したマトリックス前駆体溶液Ｂ−１〜Ｂ−２の固形分濃度（質量％）、溶媒、含まれるマトリックス前駆体の種類（化合物（Ｂ１）、（Ｂ２））と組成（マトリックス前駆体の全量を１００モル％としたときの各化合物の割合（モル％））を表２に示す。
【０１０９】
【表１】
2014214063.tif 000002
【０１１０】
【表２】
2014214063.tif 000003
【０１１１】
表１〜２中、固形分濃度は、マトリックス前駆体のＳｉＯ２換算固形分濃度である。
ＩＰＡはイソプロピルアルコールである。
メチルメトキシオリゴマーは、前記一般式（１）中のＸがメトキシ基、２つのＹがメチル基であるシラン化合物（１）の数分子から数十分子の重合体を示す。
メチルフェニルメトキシオリゴマーは、前記一般式（１）中のＸがメトキシ基、Ｙがメチル基とフェニル基であるシラン化合物（１）の数分子から数十分子の重合体を示す。
化合物（Ａ）を形成するシラン化合物（１）中のｎ＝２の化合物の割合（モル％）、および化合物（Ａ）中に未反応で残存するＸ含有量（モル％）は、ＮＭＲ測定により求めた。
メチルシリケートは、メチルトリメトキシシランの数分子から数十分子の重合体を示す。
ＴＥＯＳは、テトラエトキシシラン（前記一般式（２）中のＸがエトキシ基であるシラン化合物）を示す。
ＶＴＭＳは、ビニルトリメトキシシラン（前記一般式（１）中のＸがメトキシ基、Ｙがビニル基、ｎが１であるシラン化合物）を示す。
ＭＴＭＳは、メチルトリメトキシシラン（前記一般式（１）中のＸがメトキシ基、Ｙがメチル基、ｎが１であるシラン化合物）を示す。
【０１１２】
マトリックス前駆体溶液Ａ−１〜Ａ−６は以下の手順で調製した。
イソプロピルアルコールの所定量と、水４．５２ｇと、触媒として、１０質量％濃度の硝酸０．２２ｇとをガラス製容器に仕込み、温度を２５℃に保ち撹拌した。そこに化合物（Ａ）と化合物（Ｂ２）をそれぞれ所定量加えて１時間攪拌することで、化合物（Ａ）の加水分解、あるいは化合物（Ａ）と化合物（Ｂ２）との共加水分解を行ってマトリックス前駆体溶液Ａ−１〜Ａ−６を得た。イソプロピルアルコールの所定量は、イソプロピルアルコール／水の質量比が表１に示す値となる量である。
【０１１３】
マトリックス前駆体溶液Ｂ−１〜Ｂ−２は以下の手順で調製した。
エタノールの所定量と、水４．５２ｇと、触媒として、１０質量％濃度の硝酸０．２２ｇとをガラス製容器に仕込み、温度を２５℃に保ち撹拌した。そこに化合物（Ｂ１）と化合物（Ｂ２）をそれぞれ所定量加えて１時間攪拌することで、化合物（Ｂ１）と化合物（Ｂ１）との共加水分解を行ってマトリックス前駆体溶液Ｂ−１〜Ｂ−２を得た。エタノールの所定量は、エタノール／水の質量比が表２に示す値となる量である。
【０１１４】
（粒子分散液）
各例で使用した粒子分散液Ｃ−１〜Ｃ−３の固形分濃度（質量％）、分散媒、粒子の材質、平均一次粒子径（ｎｍ）を表３に示す。
ＰＭＭＡは、ポリ（メタクリル酸メチル）、ＰＳはポリスチレンを示す。
粒子分散液Ｃ−１〜Ｃ−３はそれぞれ後述の手順で調製した。
【０１１５】
【表３】
2014214063.tif 000004
【０１１６】
［粒子分散液Ｃ−２の調製］
ドデシル乳酸ナトリウム（ＳＤＳ）と、水とを、ガラス製容器に仕込み、撹拌した。そこに、メタクリル酸メチル（ＭＭＡ）を加えて撹拌し、乳化させた。そこに重合開始剤として、過硫酸アンモニウム（ＡＰＳ）を加え、７０℃まで加熱し、１時間保持することにより、粒子を合成した後に、エタノールを加え固形分濃度２質量％に希釈することで粒子分散液Ｃ−２を得た。
【０１１７】
［粒子分散液Ｃ−１、Ｃ−３の調製］
スチレンと、水とを、ガラス製容器に仕込み、撹拌した。そこに、パラ―スチレンスルホン酸ナトリウム水和物を加えて撹拌し、乳化させた。そこに重合開始剤として、ぺルオキソ二硫酸カリウム（ＫＰＳ）を加え、７０℃まで加熱し、１０時間保持することにより、粒子を合成した後に、エタノールを加え固形分濃度２質量％または６質量％に希釈することで、粒子分散液Ｃ−１、Ｃ−３を得た。
【０１１８】
〔例１〜８、１０〜１６〕
エタノールにテトラエトキシシランと中空シリカ粒子を混合し、触媒として０．０８３質量％の硝酸水溶液を加え、温度を２５℃に保ち１時間攪拌したのちに、エタノールを追加し、固形分濃度が２．２質量％となるように希釈することにより、下層（アンダーコート層）塗布液を調製した。
表４〜６に示す種類と配合量（ｇ）の粒子分散液とマトリックス前駆体溶液Ａとマトリックス前駆体溶液Ｂとエタノールとを混合して、上層塗布液を調製した。
【０１１９】
ガラス板（ソーダライムガラス、旭硝子社製、サイズ：１００ｍｍ×１００ｍｍ、厚さ：３．２ｍｍ）の表面に、前記下層塗布液を、スピンコーターにより、回転数５００ｒｐｍ、２０秒間のスピンコート条件にて塗布した後、１８０℃で３０秒間熱処理することにより、アンダーコート層を成膜した。
次に、前記アンダーコート層の表面に、前記上層塗布液を、スピンコーターにより、表４〜６に示すスピンコート条件（回転数（ｒｐｍ）×時間）にて塗布した後、表４〜６に示す焼成条件（温度×時間）にて熱処理することによりシリカ系多孔質膜を成膜して、シリカ系多孔質膜付きガラス板を得た。
表４〜６中の「←」は、同じ行の左側の列に示した条件と同じ条件であることを示す。
【０１２０】
〔例９〕
表５に示す種類と配合量の粒子分散液とマトリックス前駆体溶液Ａとマトリックス前駆体溶液Ｂとエタノールとを混合して、上層塗布液を調製した。
ガラス板（ソーダライムガラス、旭硝子社製、サイズ：１００ｍｍ×１００ｍｍ、厚さ：３．２ｍｍ）の表面に、前記上層塗布液を、スピンコート（回転数５００ｒｐｍ×２０秒間）にて塗布した後、８５０℃で３分３０秒間熱処理することによりシリカ系多孔質膜を成膜して、シリカ系多孔質膜付きガラス板を得た。
【０１２１】
得られたシリカ系多孔質膜付きガラス板について、上記の測定と評価を行った。結果を表４〜６に示す。
また、例１、２、１０、１３〜１６のシリカ系多孔質膜付きガラス板の（ａ）表面（シリカ系多孔質膜側）、（ｂ）断面それぞれの走査型電子顕微鏡写真を図４〜１０に示す。
【０１２２】
【表４】
2014214063.tif 000005
【０１２３】
【表５】
2014214063.tif 000006
【０１２４】
【表６】
2014214063.tif 000007
【０１２５】
例１〜１２のシリカ系多孔質膜は、最表面の水接触角が７０°以上で疎水性が高く、ＥＶＡ剥離力が小さく、防汚性に優れていた。
特に、化合物（Ａ）の含有量が全固形分に対してそれぞれ５質量％、２０質量％の塗布液を用いた例１、２のシリカ系多孔質膜は、ＥＶＡ剥離力が７００ｇ／５ｍｍ未満であり防汚性が高かった。また９４．５％以上の高い透過率を示し、反射防止性能に優れていた。さらに、耐摩耗性試験後や耐湿性試験後の透過率の変化が０．５％未満であり、耐久性にも優れていた。
この例１、２と、化合物（Ａ）の含有量が全固形分に対してそれぞれ５０質量％、６３質量％の塗布液を用いた例３、４の結果から、全固形分中の化合物（Ａ）の含有量が大きく増加することで、耐摩耗性試験後や耐湿性試験後の透過率の変化が大きくなり耐久性が低下する傾向にあることが確認された。
実施例ではあるが、マトリックス前駆体中に、二重結合を含む構造を有する化合物（Ｂ１）を含有しない例５のシリカ多孔質膜は、二重結合を含む構造を有する化合物（Ｂ１）を含有する例２のシリカ多孔質膜と比較し、耐久性試験後の平均透過率変化が大きく、耐久性が悪化していることが確認された。
粒子の含有量に対するマトリックス前駆体の含有量（ＳｉＯ２換算）の質量比［マトリックス前駆体／粒子］が異なる例２、６〜８の結果から、質量比［マトリックス前駆体／粒子］が小さいほど平均透過率が高くなり、質量比［マトリックス前駆体／粒子］が大きいほど耐久性が向上する傾向が確認された。
実施例ではあるが、アンダーコート層を有しない例９のシリカ多孔質膜は、同じ塗布液を使用し同じ条件で成膜した例２に比べて、耐湿性試験後の透過率の変化が大きく、アンダーコート層を有することが好ましいことが確認された。
なお、例１〜１２の全ての例において、膜内部の直径２０ｎｍ以上の空孔は独立孔であった。
【０１２６】
一方、化合物（Ａ）の含有量が全固形分に対して３．０質量％の塗布液を用いた例１３と、ｎ＝２のシラン化合物（１−２）に由来する構造を含まないメチルメトキシオリゴマーの塗布液を用いた例１６のシリカ系多孔質膜は、最表面の水接触角が７０°未満で疎水性が低く、ＥＶＡ剥離力が７００ｇ／５ｍｍを超えており、防汚性が低かった。
マトリクス前駆体に、シラン化合物（２）から形成された化合物（Ｂ２）を含まない例１４のシリカ多孔質膜は、平均透過率が低く、また耐久性も不十分であった。
粒子の含有量に対するマトリックス前駆体の含有量（ＳｉＯ２換算）の質量比［マトリックス前駆体／粒子］が０．７の塗布液を用いて形成され、最表面開放孔数が５２個／１０６ｎｍ２の例１５のシリカ多孔質膜は、耐久性試験後の平均透過率変化が１．５以上となり大きく、耐久性が不十分で、実用性が低かった。
【符号の説明】
【０１２７】
１０  シリカ系多孔質膜付き物品
１２  ガラス板
１４  シリカ系多孔質膜
１６  アンダーコート層
２０  シリカ系多孔質膜付き物品
【図１】
2014214063.tif 000008
【図２】
2014214063.tif 000009
【図３】
2014214063.tif 000010
【図４】
2014214063.tif 000011
【図５】
2014214063.tif 000012
【図６】
2014214063.tif 000013
【図７】
2014214063.tif 000014
【図８】
2014214063.tif 000015
【図９】
2014214063.tif 000016
【図１０】
2014214063.tif 000017